(57)【特許請求の範囲】
【請求項１】
無線通信システムにおいて、装置は、
モバイルデバイスに対し逆方向リンクトラヒックチャネルを割り当て、
前記割り当てにおいて電力制御関連情報を提供し、なお、前記電力制御関連情報は、最小キャリア・オーバー・サーマル（ＣｏＴ）値および最大ＣｏＴ値を含み、
デルタベース電力制御を容易にするために少なくとも１つのモバイルデバイスに対し、通常で早い他のセクタ干渉（ＯＳＩ）インジケーションをブロードキャストする、
ように構成された集積回路、
を備えている、装置。
【請求項２】
デルタベース電力制御を実施する方法であって、
割り当てに含まれる電力制御関連情報に部分的に基づいて、デルタ値の許可範囲を確立することと、なお、前記電力制御関連情報は、最小キャリア・オーバー・サーマル（ＣｏＴ）値および最大ＣｏＴ値を含み、
ブロードキャストされた他のセクタ干渉（ＯＳＩ）インジケーションに部分的に基づいて、前記デルタ値に対する調整を評価することと、
前記デルタ値にしたがって逆方向リンクトラヒックチャネルに対応する電力スペクトル密度を設定することと、
を備えている方法。
【請求項３】
サービング基地局に対しフィードバックを送信すること、をさらに備えている請求項２に記載の方法。
【請求項４】
前記フィードバックは、バッファサイズ、サービスの質（ＱｏＳ）レベル、最大許可電力、電力ヘッドルーム、あるいは前記デルタ値、のうちの少なくとも１つを備えている、請求項３に記載の方法。
【請求項５】
前記電力制御関連情報は、ターゲットキャリア対干渉（Ｃ／Ｉ）値、あるいは、電力調整ステップサイズ、のうちの少なくとも１つを含む、請求項２に記載の方法。
【請求項６】
前記デルタ値は遅いデルタ値であり、前記ＯＳＩインジケーションは通常のＯＳＩインジケーションである、請求項２に記載の方法。
【請求項７】
前記通常ＯＳＩインジケーションにしたがって、スーパーフレームごとに、前記遅いデルタ値を保持し調整すること、をさらに備えている請求項６に記載の方法。
【請求項８】
保持し調整することは、獲得されることができるセクタを含むＯＳＩモニターセットを生成することをさらに備えている、請求項７に記載の方法。
【請求項９】
前記ＯＳＩモニターセットを生成することは、前記セクタの順方向リンクジオメトリに、しきい値を適用することを備えている、請求項８に記載の方法。
【請求項１０】
前記デルタ値は送信デルタ値であり、前記ＯＳＩインジケーションは早いＯＳＩインジケーションである、請求項２に記載の方法。
【請求項１１】
範囲を前記許可範囲に確立することは、サービング基地局によってブロードキャストされた干渉オフセット値にさらに基づいている、請求項１０に記載の方法。
【請求項１２】
前記送信デルタ値を保持し、調整することは、割り当てごとについて最大値に前記送信デルタ値を初期化することを備える、をさらに備えている請求項１０に記載の方法。
【請求項１３】
すべての早いＯＳＩインジケーションが干渉を特定しないとき、前記送信デルタ値をステップアップすること、をさらに備えている、請求項１０に記載の方法。
【請求項１４】
いずれの早いＯＳＩインジケーションが干渉を特定するとき、前記送信デルタ値をステップダウンすること、さらに備えている、請求項１０に記載の方法。
【請求項１５】
無線通信装置であって、
割り当てに含まれる電力制御関連情報に部分的に基づいて、デルタ値の許可範囲を確立することと、なお、前記電力制御関連情報は、最小キャリア・オーバー・サーマル（ＣｏＴ）値および最大ＣｏＴ値を含み、ブロードキャストされた他のセクタ干渉（ＯＳＩ）インジケーションに部分的に基づいて前記デルタ値に対する調整を評価することと、前記デルタ値にしたがって逆方向リンクトラヒックチャネルに対応する電力スペクトル密度を設定することと、に関する命令を保持するメモリと、
前記メモリに結合され、前記メモリに含まれる前記命令を実行するように構成された、集積回路と、
を備えている無線通信装置。
【請求項１６】
デルタベース電力制御を実施する無線通信装置であって、
割り当てに含まれる電力制御関連情報に部分的に基づいて、デルタ値の許可範囲を確立するための手段と、なお、前記電力制御関連情報は、最小キャリア・オーバー・サーマル（ＣｏＴ）値および最大ＣｏＴ値を含み、
ブロードキャストされた他のセクタ干渉（ＯＳＩ）インジケーションに部分的に基づいて、前記デルタ値に対する調整を評価するための手段と、
前記デルタ値にしたがって逆方向リンクトラヒックチャネルに対応する電力スペクトル密度を設定するための手段と、
を備えている無線通信装置。
【請求項１７】
サービング基地局に対しフィードバックを送信するための手段、をさらに備えている請求項１６に記載の無線通信装置。
【請求項１８】
前記フィードバックは、バッファサイズ、サービスの質（ＱｏＳ）レベル、最大許可電力、電力ヘッドルーム、あるいは前記デルタ値、のうちの少なくとも１つを備えている、請求項１７に記載の無線通信装置。
【請求項１９】
前記電力制御関連情報は、ターゲットキャリア対干渉（Ｃ／Ｉ）値、あるいは、電力調整ステップサイズ、のうちの少なくとも１つを含む、請求項１６に記載の無線通信装置。
【請求項２０】
前記デルタ値は遅いデルタ値であり、前記ＯＳＩインジケーションは通常のＯＳＩインジケーションである、請求項１６に記載の無線通信装置。
【請求項２１】
前記通常ＯＳＩインジケーションにしたがって、スーパーフレームごとに、前記遅いデルタ値を保持し調整するための手段、をさらに備えている請求項２０に記載の無線通信装置。
【請求項２２】
保持し調整するための手段は、獲得されることができるセクタを含むＯＳＩモニターセットを生成するための手段をさらに備えている、請求項２１に記載の無線通信装置。
【請求項２３】
通常ＯＳＩインジケーションのための第１のＯＳＩモニターセットと早いＯＳＩインジケーションのための第２のＯＳＩモニターセットとを生成すること、をさらに備えている請求項２２に記載の無線通信装置。
【請求項２４】
前記第２のＯＳＩモニターセットは、アクティブセットのメンバーに限定されている、請求項２３に記載の無線通信装置。
【請求項２５】
前記ＯＳＩモニターセットを生成するための手段は、前記セクタの順方向リンクジオメトリに、しきい値を適用することを備えている、請求項２２に記載の無線通信装置。
【請求項２６】
前記ＯＳＩモニターセットを生成するための手段は、前記セクタのｃｈａｎｄｉｆｆ値に、しきい値を適用することを備えている、請求項２２に記載の無線通信装置。
【請求項２７】
前記デルタ値は送信デルタ値であり、前記ＯＳＩインジケーションは早いＯＳＩインジケーションである、請求項１６に記載の無線通信装置。
【請求項２８】
範囲を前記許可範囲に確立するための手段は、サービング基地局によってブロードキャストされた干渉オフセット値にさらに基づいている、請求項２７に記載の無線通信装置。
【請求項２９】
前記送信デルタ値を保持し、調整するための手段は、割り当てごとについて最大値に前記送信デルタ値を初期化することを備える、をさらに備えている請求項２７に記載の無線通信装置。
【請求項３０】
すべての早いＯＳＩインジケーションが干渉を特定しないとき、前記送信デルタ値をステップアップするための手段、をさらに備えている、請求項２７に記載の無線通信装置。
【請求項３１】
いずれの早いＯＳＩインジケーションが干渉を特定するとき、前記送信デルタ値をステップダウンするための手段、をさらに備えている、請求項２７に記載の無線通信装置。
【請求項３２】
機械可読媒体であって、
割り当てに含まれる電力制御関連情報に部分的に基づいて、デルタ値の許可範囲を確立し、なお、前記電力制御関連情報は、最小キャリア・オーバー・サーマル（ＣｏＴ）値および最大ＣｏＴ値を含み、
ブロードキャストされた他のセクタ干渉（ＯＳＩ）インジケーションに部分的に基づいて、前記デルタ値に対する調整を評価し、
前記デルタ値にしたがって、逆方向リンクトラヒックチャネルに対応する電力スペクトル密度を設定する、
ための機械実行可能命令を保存している、機械可読媒体。
【請求項３３】
サービング基地局に対しフィードバックを送信するための命令、をさらに備えている請求項３２に記載の機械可読媒体。
【請求項３４】
前記フィードバックは、バッファサイズ、サービスの質（ＱｏＳ）レベル、最大許可電力、電力ヘッドルーム、あるいは前記デルタ値、のうちの少なくとも１つを備えている、請求項３２に記載の機械可読媒体。
【請求項３５】
前記電力制御関連情報は、ターゲットキャリア対干渉（Ｃ／Ｉ）値、あるいは、電力調整ステップサイズ、のうちの少なくとも１つを含む、請求項３２に記載の機械可読媒体。
【請求項３６】
前記デルタ値は、遅いデルタ値であり、前記ＯＳＩインジケーションは通常のＯＳＩインジケーションである、請求項３２に記載の機械可読媒体。
【請求項３７】
前記通常ＯＳＩインジケーションにしたがって、スーパーフレームごとに、前記遅いデルタ値を保持し調整するための命令、をさらに備えている請求項３６に記載の機械可読媒体。
【請求項３８】
保持し調整することは、獲得されることができるセクタを含むＯＳＩモニターセットを生成することをさらに備えている、請求項３７に記載の機械可読媒体。
【請求項３９】
通常ＯＳＩインジケーションのための第１のＯＳＩモニターセットと早いＯＳＩインジケーションのための第２のＯＳＩモニターセットとを生成すること、をさらに備えている、請求項３８に記載の機械可読媒体。
【請求項４０】
前記第２のＯＳＩモニターセットは、アクティブセットのメンバーに制限されている、請求項３９に記載の機械可読媒体。
【請求項４１】
前記ＯＳＩモニターセットを生成することは、前記セクタの順方向リンクジオメトリに、しきい値を適用することを備えている、請求項３８に記載の機械可読媒体。
【請求項４２】
前記ＯＳＩモニターセットを生成することは、前記セクタのｃｈａｎｄｉｆｆ値に、しきい値を適用することを備えている、請求項３８に記載の機械可読媒体。
【請求項４３】
前記デルタ値は送信デルタ値であり、前記ＯＳＩインジケーションは早いＯＳＩインジケーションである、請求項３２に記載の機械可読媒体。
【請求項４４】
範囲を前記許可範囲に確立することは、サービング基地局によってブロードキャストされた干渉オフセット値にさらに基づいている、請求項４３に記載の機械可読媒体。
【請求項４５】
前記送信デルタ値を保持し、調整することは、割り当てごとについて最大値に前記送信デルタ値を初期化することを備える、をさらに備えている請求項４３に記載の機械可読媒体。
【請求項４６】
すべての早いＯＳＩインジケーションが干渉を特定しないとき、前記送信デルタ値をステップアップすること、をさらに備えている、請求項４３に記載の機械可読媒体。
【請求項４７】
いずれの早いＯＳＩインジケーションが干渉を特定するとき、前記送信デルタ値をステップダウンすること、をさらに備えている請求項４３に記載の機械可読媒体。
【請求項４８】
無線通信システムにおいて、装置は、
割り当てに含まれる電力制御関連情報に部分的に基づいて、デルタ値の許可範囲を確立し、なお、前記電力制御関連情報は、最小キャリア・オーバー・サーマル（ＣｏＴ）値および最大ＣｏＴ値を含み、
ブロードキャストされた他のセクタ干渉（ＯＳＩ）インジケーションに部分的に基づいて、前記デルタ値に対する調整を決定し、
前記デルタ値にしたがって逆方向リンクトラヒックチャネルに対応する電力スペクトル密度を設定する、
ように構成された集積回路、
を備えている、装置。
【発明の詳細な説明】
【背景】
【０００１】
Ｉ．分野
次の説明は、一般的には無線通信(wireless communications)に関し、より具体的には、デルタベースの逆方向リンクトラヒック電力制御(delta-based reverse link traffic power control)に関する。
【０００２】
ＩＩ．背景
無線ネットワーキングシステムは、世界の人々の大部分が通信するようになった広く行なわれている手段となっている。無線通信デバイス(Wireless communication devices)は、消費者のニーズを満たし且つポータビリティ及び利便性(convenience)を改善するために、より小型化し、より動力の高いもの(more powerful)となった。消費者は、セルラ電話(cellular telephones)、携帯情報端末(personal digital assistants)(ＰＤＡｓ)、及び同様なもの、のような無線通信デバイスに依存するようになり、信頼できるサービス、拡大されたサービスエリア、そして増大化した機能を必要としている。
【０００３】
一般的に、無線多元接続通信システム(wireless multiple-access communication system)は、マルチプル無線端末(multiple wireless terminals)あるいはユーザデバイス(user devices)のための通信を同時にサポートすることができる。各端末は、順方向及び逆方向リンク上の伝送を介して、１以上のアクセスポイントと通信する。順方向リンク(あるいはダウンリンク)は、アクセスポイントから端末までの通信リンクを指しており、逆方向リンク(あるいはアップリンク)は、端末からアクセスポイントまでの通信リンクを指す。
【０００４】
無線システムは、利用可能なシステムリソース(例えば帯域幅及び送信電力)を共有することにより複数のユーザとの通信をサポートすることができる、多元接続システムであってもよい。そのような多元接続システムの例は、符号分割多元接続(ＣＤＭＡ)システム、時分割多元接続(ＴＤＭＡ)システム、周波数分割多元接続(ＦＤＭＡ)システム、及び直交周波数分割多元接続(ＯＦＤＭＡ)システムを含む。
【０００５】
一般的に、各アクセスポイントは、セクタと呼ばれる特定のサービスエリア内で突き止められた(located)端末をサポートする。特定の端末をサポートするセクタはサービングセクタ(serving sector)と呼ばれる。他のセクタは、特定の端末をサポートしておらず、非サービングセクタ(non-serving sectors)と呼ばれる。セクタ内の端末は、マルチプル端末の同時サポートを可能にするために特定リソースを割り付けられることができる。しかしながら、近隣セクタにおける端末による送信は、調整されない(not coordinated)。したがって、セクタ端における端末による送信は、干渉及び端末性能の低下を引き起こす可能性がある。
【発明の概要】
【０００６】
下記は、１以上の実施形態の基本的な理解を提供するために、そのような実施形態の簡略された概要(summary)を提供している。この概要は、すべての熟考された実施形態の広範囲な全体像ではなく、すべての実施形態の重要なあるいは決定的なエレメントを識別することも、あるいは、いずれのあるいはすべての実施形態の範囲を詳細に描写することも、意図されてはいない。その唯一の目的は、後で示される、より詳細な説明に対する前置きとして、簡略化された形で１以上の実施形態のいくつかの概念(concepts)を示すことである。
【０００７】
一態様によると、逆方向リンクトラヒックチャネル電力制御(reverse link traffic channel power control)を容易にする方法はここにおいて記載されている。その方法は、割り当て(an assignment)において電力制御情報を提供することを備えることができる。さらに、その方法は、調整範囲を確立するために使用される各サブバンドに対して(for each subband)、干渉オフセット値をブロードキャストすることを含むことができる。その方法は、電力制御値を調整するために利用される他のセクタ干渉(other sector interference)（ＯＳＩ）インジケーションをブロードキャストすることをさらに備えることができる。
【０００８】
別の態様は、各サブバンドに対して干渉オフセット値をブロードキャストすること、通常の他のセクタ干渉(Other Sector Interference)(ＯＳＩ)パラメータをブロードキャストすること、そして、早いＯＳＩパラメータをブロードキャストすること、に関する命令 (instructions)を保持するメモリを備えることができる無線通信装置(wireless communications apparatus)に関する。無線通信装置はまた、メモリに結合され、そのメモリで保持された命令を実行するように構成されたプロセッサを含むことができる。
【０００９】
さらに、別の態様は、デルタベース電力制御(delta-based power control)を容易にする無線通信装置に関する。その装置は、モバイルデバイスの割り当てにおいて電力制御情報を提供するための手段、を含むことができる。さらに、その装置は、各サブバンドに対して、干渉オフセット値をブロードキャストするための手段、を含むことができる。その装置は、デルタベース電力制御を可能にするＯＳＩインジケーションをブロードキャストするための手段、をさらに備えることができる。
【００１０】
さらに、別の態様は、割り当てにおいて電力制御情報を提供するための機械実行可能命令を保存している機械可読媒体(machine-readable medium)に関する。その機械可読媒体は、調整範囲を確立するために使用される各サブバンドに対して、干渉オフセット値をブロードキャストするための命令をさらに備えることができる。さらに、機械可読媒体は、電力制御値を調整するために利用されるＯＳＩインジケーションをブロードキャストするための命令を含むことができる。
【００１１】
別の態様によると、無線通信システムでは、装置は、集積回路を備えることができる。その集積回路は、モバイルデバイスに、逆方向リンクトラヒックチャネルを割り当てるように構成されることができる。その集積回路は、割り当てにおいて電力制御関連情報を提供し、そして、デルタベース電力制御を容易にするために少なくとも１つのモバイルデバイスに対し通常で早いＯＳＩインジケーション(regular and fast OSI indications)をブロードキャストするようにさらに構成されることができる。
【００１２】
さらに別の態様にしたがって、デルタベース電力制御を実施する(effectuates)方法が、ここにおいて説明されている。その方法は、割り当てに含まれる電力制御関連情報に部分的に基づいてデルタ値の許可範囲を確立することを備えることができる。さらに、その方法は、ブロードキャストされた他のセクタ干渉(other sector interference)（ＯＳＩ）インジケーションに部分的に基づいて、デルタ値に対する調整を評価することを含むことができる。その方法はさらに、デルタ値にしたがって逆方向リンクトラヒックチャネルに対応する電力スペクトル密度を設定することを備えることができる。
【００１３】
ここにおいて説明されている別の態様は、割り当てに含まれる電力制御関連情報に部分的に基づいてデルタ値の許可範囲を確立することと、ブロードキャストされた他のセクタ干渉（ＯＳＩ）インジケーションに部分的に基づいてデルタ値に対する調整を評価することと、デルタ値にしたがって逆方向リンクトラヒックチャネルに対応する電力スペクトル密度を設定することと、に関する命令を保持するメモリを含むことができる無線通信装置に関する。さらに、無線通信装置は、メモリに結合された集積回路を備えることができ、メモリに保持される命令を実行するように構成される。
【００１４】
さらに、デルタベース電力制御を実施する無線通信装置に関する。その装置は、割り当てに含まれる電力制御関連情報に部分的に基づいて、デルタ値の許可範囲を確立するための手段を備えることができる。さらに、装置は、ブロードキャストされた他のセクタ干渉（ＯＳＩ）インジケーションに部分的に基づいて、デルタ値に対する調整を評価するための手段を含むことができる。さらに、デルタ値にしたがって逆方向リンクトラヒックチャネルに対応する電力スペクトル密度を設定するための手段を備えることができる。
【００１５】
さらに、別の態様は、割り当てに含まれる電力制御関連情報に部分的に基づいて、デルタ値の許可範囲を確立するための機械実行可能な命令を保存している機械可読媒体に関する。機械可読媒体は、ブロードキャストされた他のセクタ干渉（ＯＳＩ）インジケーションに部分的に基づいて、デルタ値に対する調整を評価するための命令をさらに含むことができる。さらに、機械可読媒体は、デルタ値にしたがって逆方向リンクトラヒックチャネルに対応する電力スペクトル密度を設定するための命令を備えることができる。
【００１６】
ここにおいて説明されるさらなる態様は、割り当てに含まれる電力制御関連情報に部分的に基づいて、デルタ値の許可範囲を確立するように構成された集積回路に関する。さらに、その集積回路は、ブロードキャストされた他のセクタ干渉（ＯＳＩ）インジケーションに部分的に基づいて、デルタ値に対する調整を決定するように構成されることができる。さらに、その集積回路は、デルタ値にしたがって逆方向リンクトラヒックチャネルに対応する電力スペクトル密度を設定するように構成されることができる。
【００１７】
前述および関連する目的の実現のために、１以上の実施形態は、以下で十分に説明されている特徴を備えており、特に特許請求の範囲において指摘されている。以下の記載および添付図面は、１以上の実施形態のある説明のための態様を詳細に説明されている。しかしながら、これらの態様は、様々な実施形態の原理が利用されることができる、ほんのいくつかの様々な方法を示しており、説明される実施形態は、すべてのそのような態様およびそれらの均等物(equivalents)を含むように意図されている。
【図面の簡単な説明】
【００１８】
【図１】図１は、ここにおいて提示された１以上の態様にしたがった無線通信システムの図である。
【図２】図２は、ここにおいて記載された様々な態様にしたがった無線通信システムの図である。
【図３】図２は、主題の開示の一態様にしたがって逆方向リンクトラヒック電力制御を実現させる無線通信システムの一例の図である。
【図４】図４は、主題の開示の一態様にしたがった逆方向電力制御を容易にする方法の一例の図である。
【図５】図５は、ブロードキャストされた干渉情報に基づいて遅いデルタ値(slow delta values)を評価する方法の一例の図である。
【図６】図６は、ブロードキャストされた干渉情報に基づいて送信電力を調整することを容易にする方法の一例の図である。
【図７】図７は、逆方向リンク伝送電力制御を容易にする、モバイルデバイスの一例の図である。
【図８】図８は、電力制御関連情報を提供することにより、逆方向リンク電力制御を容易にするシステムの一例の図である。
【図９】図９は、ここにおいて記載された様々なシステム及び方法と共に利用されることができる、無線ネットワーク環境の一例の図である。
【図１０】図１０は、干渉情報ブロードキャストを通じて電力制御を容易にするシステムの一例の図である。
【図１１】図１１は、逆方向リンク伝送電力制御を容易にするシステムの一例の図である。
【詳細な説明】
【００１９】
様々な実施形態は、図面を参照して説明されており、ここにおいて、同様の参照数字は、全体にわたって、同様のエレメントを参照するように使用されている。以下の説明においては、説明の目的のために、非常に多くの具体的な詳細な説明が、１以上の実施形態の十分な理解(thorough understanding)を提供するために説明されている。それは、明白かもしれないけれども、そのような実施形態（単数または複数）は、これらの具体的な詳細なしで実行されることができる。他の例では、よく知られた構造及びデバイスが、１以上の実施形態を説明することを容易にするために、ブロック図の形で示されている。
【００２０】
本願において使用されているように、用語「コンポーネント(component)」、「モジュール(module)」、「システム(system)」、および同様なものは、コンピュータ関連のエンティティ(a computer-related entity)、ハードウェアか、ファームウェアか、ハードウェアとソフトウェアの組み合わせか、ソフトウェアか、あるいは実行中のソフトウェアか、を指すように意図されている。例えば、コンポーネントは、限定されてはいないが、プロセッサ上で実行中のプロセス、プロセッサ、オブジェクト、実行ファイル(executable)、実行スレッド(thread of execution)、プログラム、および／またはコンピュータ、であってもよい。例として、コンピューティングデバイス上で実行中のアプリケーション(application)とコンピューティングデバイスの両方がコンポーネントであることができる。１つまたは複数のコンポーネントは、プロセスおよび／または実行スレッド内に存在(reside)することができ、また、コンポーネントは、１つのコンピュータ上に局在化されてもよいし、および／または２以上のコンピュータの間で分散され（distributed）てもよい。さらに、これらのコンポーネントは、様々なデータストラクチャを保存している様々なコンピュータ可読媒体から実施することができる。コンポーネントは、１つまたは複数のデータパケット（例、ローカルシステムにおいて、分散されたシステムにおいて、および／または信号経由で他のシステムを備えたインターネットのようなネットワーク全体にわたって、別のコンポーネントと相互作用している１つのコンポーネントからのデータ）を有している信号にしたがってのような、ローカルプロセスおよび／または遠隔プロセスの方法で、通信することができる。
【００２１】
さらに、様々な実施形態は、モバイルデバイスに関連してここにおいて説明されている。モバイルデバイスは、システム、加入者ユニット、加入者局、モバイル局、モバイル、遠隔局、遠隔端末、アクセス端末、ユーザ端末、端末、無線通信デバイス、ユーザエージェント、ユーザデバイス、あるいはユーザ機器(user equipment)（ＵＥ）とも呼ばれることができる。モバイルデバイスは、携帯電話(cellular telephone)、コードレス電話、セッションイニシエーションプロトコル(Session Initiation Protocol)（ＳＩＰ）電話、無線ローカルループ(wireless local loop)（ＷＬＬ）局、携帯情報端末(personal digital assistant)（ＰＤＡ）、無線接続機能を有しているハンドヘルドデバイス、コンピューティングデバイス、あるいは無線モデムに接続された他の処理デバイスであってもよい。さらに、様々な実施形態が、基地局に関連してここにおいて説明されている。基地局は、モバイルデバイス（単数または複数）と通信するために使用されてもよく、また、アクセスポイント、ノードＢ、あるいは、ある他の用語で呼ばれることができる。
【００２２】
さらに、ここにおいて説明される様々な態様あるいは特徴は、スタンダードプログラミング技術および／または工学技術を使用して、方法、装置、あるいは、製造品(article of manufacturing)としてインプリメントされることができる。ここにおいて使用されている、用語「製造品(“article of manufacture”)」は、いずれのコンピュータ可読のデバイス、キャリア(carrier)、あるいは媒体からアクセス可能なコンピュータプログラムを含むように意図されている。例えば、コンピュータ可読媒体は、限定はされないが、磁気ストレージデバイス（例、ハードディスク、フロッピー（登録商標）ディスク、磁気ストリップ、等）、光学ディスク（例、コンパクトディスク（ＣＤ）、デジタル汎用ディスク（ＤＶＤ）等）、スマートカード、そしてフラッシュメモリデバイス（例、ＥＰＲＯＭ、カード、スティック、キードライブ、等）を含むことができる。さらに、ここにおいて説明されている様々なストレージ媒体は、１つまたは複数のデバイス、および／または、情報を保存するための他の機械可読媒体を表すことができる。用語「機械可読媒体(machine-readable medium)」は、限定されていないが、命令（単数または複数）及び／またはデータを保存し、含み、及び／または、搬送することができる、無線チャネル及び様々な他の媒体を含むことができる。
【００２３】
図１を参照すると、ここにおいて提示された様々な態様にしたがった無線通信システム１００が図示されている。システム１００は、互いに及び／または１つまたは複数の端末１０４に対し、無線通信信号を受信し、送信し、繰り返す等をする１つまたは複数のアクセスポイント１０２を備えることができる。各基地局１０２は、マルチプル送信機チェイン及び受信機チェイン、例えば各送信及び受信アンテナにつき１つ、を備えることができ、そして、それらのそれぞれは、信号送信及び受信に関連づけられた複数のコンポーネント（例、プロセッサ、モジュレータ、マルチプレクサ、デモジュレータ、デマルチプレクサ、アンテナ、等）を代わりに備えることができる。端末１０４は、例えば、携帯電話、スマートフォン、ラップトップ、ハンドヘルド通信デバイス、ハンドヘルドコンピューティングデバイス、衛星ラジオ、グローバルポジショニングシステム、ＰＤＡｓ、及び/または、無線システム１００にわたって通信するためのいずれの他の適切なデバイス、であることができる。さらに、各端末１０４は、例えばマルチプルインプットマルチプルアウトプット(multiple input multiple output)（ＭＩＭＯ）システムのために使用される、１つまたは複数の送信機チェイン及び受信機チェインを備えることができる。各送信機及び受信機チェインは、当業者によって理解されるように、信号送信及び受信に関連づけられた複数のコンポーネント（例、プロセッサ、モジュレータ、マルチプレクサ、デモジュレータ、デマルチプレクサ、アンテナ、等）を備えることができる。
【００２４】
図１で示されているように、各アクセスポイントは、特定の地理的なエリア１０６についての通信サービスエリアを提供する。用語「セル(cell)」は、文脈によって、アクセスポイント及び/またはそのサービスエリア、を指すことができる。システムキャパシティを改善するために、アクセスポイントサービスエリアは、複数のより小さなエリア（例、３つのより小さなエリア１０８Ａ、１０８Ｂ、及び１０８Ｃ）に分割されることができる。各小さなエリアは、それぞれのベーストランシーバサブシステム(base transceiver subsystem)（ＢＴＳ）によってサービス提供される。用語「セクタ(sector)」は、文脈によって、ＢＴＳ及び/またはそのサービスエリアを指すことができる。セクタ化されたセルについては、セルのすべてのセクタのためのベーストランシーバサブシステムは、一般的には、セルについてのアクセスポイント内で配置される(co-located)。
【００２５】
端末１０４は、一般的には、システム１００全体にわたって分散される。各端末１０４は、固定であってもよいし、モバイルであってもよい。各端末１０４は、いずれの与えられたときに(at any given moment)、順方向及び逆方向リンク上で１つまたは複数のアクセスポイント１０２と通信することができる。
【００２６】
集中されたアーキテクチャ(centralized architecture)の場合、システムコントローラ１１０は、アクセスポイント１０２を結合し、アクセスポイント１０２の調整(coordination)及び制御を提供する。分散されたアーキテクチャ(distributed architecture)の場合、アクセスポイント１０２は、必要なときに互いに通信することができる。システムコントローラ１１０あるいは同様なものを介したアクセスポイント間の通信は、バックホールシグナリング(backhaul signaling)と呼ばれることができる。
【００２７】
ここにおいて説明された技術は、非セクタ化されたセルを備えたシステムと同様に、セクタ化されたセルを備えたシステム１００のために使用されることができる。明瞭性のために、下記の説明は、セクタ化されたセルを備えたシステム用である。用語「アクセスポイント(access point)」は、セルをサービス提供する固定局に加えて、セクタをサービス提供する固定局のために一般的に使用されている。用語「端末(terminal)」、「ユーザ(user)」は、互換性をもって使用されており、用語「セクタ(sector)」、「アクセスポイント(access point)」もまた互換性をもって使用される。サービングアクセスポイント/セクタは、端末が逆方向リンクトラヒック送信を有しているアクセスポイント/セクタである。近隣アクセスポイント／セクタは、端末が逆方向リンクトラヒック送信を有していないアクセスポイント/セクタである。例えば、端末に対し順方向リンクのみをサービス提供しているアクセスポイントは、干渉管理目的のための近隣セクタと考えられるべきである。
【００２８】
図２を参照すると、無線通信システム２００は、ここにおいて提示された様々な実施形態にしたがって図示されている。システム２００は、マルチプルアンテナグループを含むことができる基地局２０２を備える。例えば、１つのアンテナグループは、アンテナ２０４及び２０６を含むことができ、別のグループは、アンテナ２０８及び２１０を備えることができ、追加グループは、アンテナ２１２及び２１４を含むことができる。２つのアンテナが各アンテナグループについて図示されているが、より多くのあるいはより少ないアンテナは、各グループのために利用されることができる。基地局２０２は、送信機チェイン及び受信機チェインをさらに含むことができ、それらのそれぞれは、当業者によって理解されるように、信号送信及び受信に関連づけられた複数のコンポーネント（例、プロセッサ、モジュレータ、マルチプレクサ、デモジュレータ、デマルチプレクサ、アンテナ、等）を代わりに備えることができる。
【００２９】
基地局２０２は、モバイルデバイス２１６及びモバイルデバイス２２２のような１つまたは複数モバイルデバイスと通信することができるが、基地局２０２は、モバイルデバイス２１６及び２２２に類似した実質的にはいずれの数のモバイルデバイスと通信することができるということは理解されるべきである。モバイルデバイス２１６及び２２２は、例えば、携帯電話、スマートフォン、ラップトップ、ハンドヘルド通信デバイス、ハンドヘルドコンピューティングデバイス、衛星ラジオ、グローバルポジショニングシステム、ＰＤＡｓ、及び／または、無線通信システム２００にわたって通信するためのいずれの他の適切なデバイス、であることができる。図示されているように、モバイルデバイス２１６はアンテナ２１２及び２１４と通信しており、アンテナ２１２及び２１４は、順方向リンク２１８にわたってモバイルデバイス２１６に情報を送信し、逆方向リンク２２０にわたってモバイルデバイス２１６から情報を受信する。さらに、モバイルデバイス２２２はアンテナ２０４及び２０６と通信しており、アンテナ２０４及び２０６は順方向リンク２２４にわたってモバイルデバイス２２２に情報を送信し、逆方向リンク２２６にわたってモバイルデバイス２２２から情報を受信する。周波数分割複式(frequency division duplex)（ＦＤＤ）システムでは、順方向リンク２１８は、逆方向リンク２２０によって利用されるものとは異なる周波数帯域を利用することができ、順方向リンク２２４は、例えば逆方向リンク２２６によって利用されたものとは異なっている周波数帯域を利用することができる。さらに、時分割複式(time division duplex)（ＴＤＤ）システムにおいて、順方向リンク２１８及び逆方向リンク２２０は、共通の周波数帯を利用することができ、順方向リンク２２４及び逆方向リンク２２６は、共通の周波数帯域を利用することができる。
【００３０】
通信するように設計されている１セットのアンテナ及び／またはエリアは、基地局２０２のセクタと呼ばれることができる。例えば、マルチプルアンテナは、基地局２０２によってカバーされたエリアのセクタにおいてモバイルデバイスに対して通信するように設計されることができる。順方向リンク２１８及び２２４にわたる通信において、基地局２０２の送信アンテナは、モバイルデバイス２１６及び２２２の順方向リンク２１８及び２２４の信号対雑音比を改善するためにビームフォーミング(beamforming)を使用することができる。また、基地局２０２が関連づけられたサービスエリアを通じてランダムに散ったモバイルデバイス２１６及び２２２に対し送信するためにビームフォーミングを使用しているが、近隣セルにおけるモバイルデバイスは、すべてのそのモバイルデバイスに対し単一のアンテナを通じて送信する基地局と比較して、少ない干渉を受けやすい可能性がある。
【００３１】
一例によると、システム２００は、マルチプルインプットマルチプルアウトプット(multiple-input multiple-output)（ＭＩＭＯ）通信システムであってもよい。さらに、システム２００は、ＦＤＤ、ＴＤＤ、及び同様なもののような通信チャネル（例、順方向リンク、逆方向リンク、…）を分割するために、いずれのタイプのデュプレキシング技術(duplexing techinque)を使用することができる。さらに、システム２００は、逆方向リンクのための動的電力制御を実現するために、情報ブロードキャスト(information broadcasts)を利用することができる。図に準じて、基地局２０２は、モバイルデバイス２１６及び２２２に対し、順方向リンク２１８及び２２４にわたって電力制御関連情報を送信することができる。電力制御関連情報はモバイルデバイス２１６及び２２２に対し提供される逆方向リンクデータチャネル割り当てに含まれることができる。基地局２０２は他のセクタ干渉インジケーションをブロードキャストすることができる。例えば、基地局２０２は、各逆方向リンクフレーム上で、スーパーフレームごとに(every superframe)通常の他のセクタ干渉値(regular other sector interference values)を、そして、各サブバンドに対して早い他のセクタの干渉値(fast other sector interference values)を、ブロードキャストすることができる。他のセクタ干渉は、基地局２０２によってサービス提供されていない他のセクタにおいてモバイルデバイス（示されていない）に対しブロードキャストされる。さらに、モバイルデバイス２１６及び２２２は、基地局２０２のほかの基地局から、ブロードキャストされた他のセクタ干渉値を受信する。モバイルデバイス２１６及び２２２はまた、基地局２０２から、割り当てに含まれる電力制御関連情報を受信することができる。したがって、モバイルデバイス２１６及び２２２は、逆方向リンクデータチャネル上で電力を調整するために、受信された他のセクタ干渉値及び電力制御情報を利用することができる。例えば、モバイルデバイス２１６及び２２２は、逆方向リンクデータチャネルの電力スペクトル密度を調整するために(regulate)利用
された送信デルタ値を保持し調整するために、早い他のセクタ干渉値を利用することができる。さらに、モバイルデバイス２１６及び２２２は、それぞれ、逆方向リンク２２０及び２２６を介した基地局２０２に対する通信でありうる遅いデルタ値を保持し調整するために、通常の他のセクタ干渉値を利用することができる。遅いデルタ値は、今後の割り当てについての示唆された値として、基地局２０２によって利用されることができる。
【００３２】
図３に戻って、とりわけ、ブロードキャストされた干渉値の考察に基づいて逆方向リンク送信電力制御を実行される無線通信システム３００が図示されている。システム３００は、モバイルデバイス３０４（及び／または、任意の数の異なるモバイルデバイス（示されていない））と通信する基地局３０２を含む。基地局３０２は、順方向リンクチャネルにわたってモバイルデバイス３０４に対し電力制御関連情報を送信し、基地局３０２によってサービス提供されていない他のセクタにおいて探し出された(located)モバイルデバイスに対し、他のセクタ干渉値をブロードキャストすることができる。さらなる基地局３０２は逆方向リンクチャネルにわたって、モバイルデバイス３０４から、情報を受信することができる。さらに、システム３００はＭＩＭＯシステムであってもよい。
【００３３】
基地局３０２は、スケジューラ３０６、他のセクタ干渉（ＯＳＩ）ブロードキャスタ３０８、及び干渉オフセットブロードキャスタ３１０、を含むことができる。スケジューラ３０６は、とりわけ、モバイルデバイス３０４に対するチャネル割り当てを供給する。割り当ては、チャネルツリー(channel tree)を介して１セットのホップポート(a set of hop ports)を規定するチャネルＩＤを含むことができる。その割り当てはまた、パケットフォーマットを規定することができる。パケットフォーマットは、割り当てられたリソース上の伝送のために利用されるべき、符号化及び／または変調であることができる。さらに、割り当ては、割り当てが延長された伝送持続時間割り当て(extended transmission duration assignment)である、及び／または、その割り当てが既存の割り当てを置き換えるあるいは補足するかどうか、を示すパラメータを含むことができる。主題開示の態様にしたがって、各パケットフォーマットは、データチャネルについて関連づけられた最小キャリア対干渉(carrier-to-interference)（Ｃ／Ｉ）値（以下、ＤａｔａＣｔｏＩｍｉｎと呼ぶ）を有する。ＤａｔａＣｔｏＩｍｉｎ値は、特定のハイブリッド自動再送要求(hybrid automatic repeat request)（ＨＡＲＱ）試みのときに、あるエラーレートを達成するために必要とされた最小Ｃ／Ｉに対応する。さらに、スケジューラ３０６は、データチャネルについての最小及び最大のキャリア・オーバー・サーマル値（以下、ＤａｔａＣｏＴｍｉｎとＤａｔａＣｏＴｍａｘと呼ぶ）を伝える。これらの値は、モバイルデバイス３０４に対する基地局３０２のスケジューラ３０６によって発行された割り当てに含まれていてもよい。さらに、スケジューラ３０６からの割り当ては、モバイルデバイス３０４に対し割り当てられるデータチャネル、ＤａｔａＣｔｏＩａｓｓｉｇｎｅｄについてのＣ／Ｉ値を含むことができる。この値は、ターゲットＨＡＲＱ終了(target HARQ termination)に基づいて選択されている。主題の開示の１つの態様によれば、ＤａｔａＣｔｏＩａｓｓｉｇｎｅｄの予約された値は、モバイルデバイスに割り当てインタレース上でその現在のデルタ値を使用することを命令するために、利用されることができる。さらに、スケジューラ３０６は、サービスの質（ＱｏＳ）クラスあたり、最大デルタ増加値（ＭａｘＤｅｌｔａＩｎｃｒｅａｓｅ）と、最大デルタ減少値（ＭａｘＤｅｌｔａＲｅｄｕｃｔｉｏｎ）と、を決定する。これらの前述のパラメータ（例、ＤａｔａＣｔｏＩｍｉｎ、ＤａｔａＣｏＴｍｉｎ、ＤａｔａＣｏＴｍａｘ、ＤａｔａＣｔｏＩａｓｓｉｇｎｅｄ、ステップサイズ等）は、基地局３０４によって割り当てられており、パラメータは、同じメカニズムを通じて、あるいは、同じ時に、割り当てられる必要はないということは理解されるべきである。例えば、ＤａｔａＣｏＴｍｉｎ、ＤａｔａＣｏＴｍａｘ及びステップサイズは、各パケットあるいは割り当てについて割り当てられる必要がない半静的パラメータ(semi-static parameters)であってもよい。これらのパラメータは、更新が必要なときにはいつでも、上層メッセージあるいは同様なものを通じて更新されることができる。
【００３４】
これらの値は、電力制御決定において、モバイルデバイス３０４によって利用されることができる。例えば、パラメータは、送信デルタ調整の範囲を確立するために利用されることができる。その範囲は、複数の方法で規定されることができる。一態様によると、明示的なＤａｔａＣｔｏＩｍｉｎ及びＤａｔａＣｔｏＩｍａｘ値は、範囲を確立するために、割り当てられ、利用されることができる。さらに、関連バウンド(relative bounds)は、例えばデルタあるいはＣ／Ｉ値における最大低減あるいは増加を規定しているパラメータを通じて、利用されることができる。図により、ＭａｘＤｅｌｔａＩｎｃｒｅａｓｅ及びＭａｘＤｅｌｔａＲｅｄｕｃｔｉｏｎのパラメータは利用されることができる。別の図にしたがって、ＭａｘＣｔｏＩＩｎｃｒｅａｓｅ値及びＭａｘＣｔｏＩＲｅｄｕｃｔｉｏｎ値は利用されることができる。組み合わせもまた可能でありうるということが理解されるべきである（例えばＭａｘＤｅｌｔａＩｎｃｒｅａｓｅとＭａｘＣｔｏＩＲｅｄｕｃｔｉｏｎ）。
【００３５】
スケジューラ３０６は、モバイルデバイス３０４に対し、リソース（チャネル、周波数、帯域幅、等）を割り当てる。スケジューラ３０６を使用する基地局３０２は、様々な考察に基づいて、割り当て決定を行なう。例えば、割り当て決定は、逆リクエストチャネル (reverse request channel)（Ｒ−ＲＥＱＣＨ）上で受信された情報を因数分解する(factor)ことができる。そのリクエストはバッファサイズあるいはサービスの質（ＱｏＳ）レベルを含むことができる。さらに、スケジューラ３０６は、割り当て決定を、モバイルデバイス３０４から受信された他のフィードバック情報に、基づかせてもよい。スケジューラ３０６は、今後の割り当てについての示唆された値として役立つ、遅いデルタ値のような、受信されたフィードバック情報を承認する(account)ことができる。フィードバック情報はさらに、電力増幅器ヘッドルーム(power amplifier headroom)、早いＯＳＩアクティビティのインジケーション、及び同様なものを含むことができる。
【００３６】
基地局３０２はさらに、基地局３０２によってサービス提供されていない他のセクタにおけるモバイルデバイスに対し他のセクタ干渉情報をブロードキャストするＯＳＩブロードキャスタ３０８を含む。スーパーフレームごとに、基地局３０２は、モバイルデバイスに対し、通常のＯＳＩ値をブロードキャストするためにＯＳＩブロードキャスタ３０８を利用する。通常のＯＳＩ値は、前スーパーフレームの間に観察された平均干渉を表わす。１以上の前スーパーフレームが平均されうるということは理解されるべきである。例として且つ限定されるものではなく、通常のＯＳＩ値は、前の３つのスーパーフレームの間に観察された平均干渉を備えることができる。一態様にしたがって、通常のＯＳＩ値は、順方向リンクＯＳＩパイロットチャネル(forward link OSI pilot channel)（Ｆ−ＯＳＩＣＨ）のようなブロードキャストチャネル上でブロードキャストされることができる。さらに、通常のＯＳＩインジケーションは、スーパーフレームごとのスーパーフレームプリアンブル上で送信されることができる。他のセクタにおける基地局からの通常のＯＳＩインジケーションに基づいたモバイルデバイス３０４によるデルタベース電力制御は、フルバッファシナリオ(full-buffer scenarios)におけるタイト干渉分配(tight interference distributions)を結果としてもたらすことができる。
【００３７】
バースティトラヒックのシチュエーション(bursty traffic situations)において、電力レベルのより動的な制御は、必要とされうる。したがって、ＯＳＩブロードキャスタ３０８はまた、モバイルデバイス３０４と基地局３０２によってサービス提供される他のモバイルデバイスとによって受信された早いＯＳＩ値をブロードキャストする。早いＯＳＩインジケーションは、順方向リンク制御セグメント上で、早いＯＳＩチャネル(fast OSI channel)（Ｆ−ＦＯＳＩＣＨ）上でブロードキャストされることができる。例として且つ限定するものではなく、早いＯＳＩ報告は、それぞれ４ビットのかたまり(collection)でグループ化されることができ、各かたまりは、順方向パイロット品質インジケータチャネル(forward pilot quality indicator channel)（Ｆ−ＰＱＩＣＨ）にわたるデータ送信に似た６つの変調シンボルを使用して送信されることができる。この例では、消去(erasure)は、いずれの含まれたサブバンド(involved subbands)上にも早いＯＳＩインジケーションがないように、すべてゼロシーケンス(all zero sequence)にマッピングされることができる。早いＯＳＩ値は、各逆方向リンクフレームの各インタレース上で、各サブバンドに対してブロードキャストされることができる。早いＯＳＩ値は、ある逆方向リンクフレーム上の特定のサブバンドにわたって観察された干渉に基づいていてもよい。
【００３８】
基地局３０２は、干渉オフセットブロードキャスタ３１０をさらに含む。近隣セクタにおけるバースティトラヒック(bursty traffic)による大きな干渉・オーバー・サーマル(interference over thermal)（ＩｏＴ）上昇のイベントにおけるパケットエラーを減らすために、基地局３０２は、干渉オフセットブロードキャスタ３１０を介して、早いＩｏＴ報告を利用することができる。基地局３０２は、下記で説明されているように、各割り当てについての最小の許可されたデルタ値の動的な調整(dynamic adjustments of the minimum allowed delta value for each assignment)を容易にするために、スケジューラ３０６をさらに利用することができる。干渉オフセットブロードキャスタは、各サブバンド、ｓについて、干渉オフセット値、InterferenceOffsetを送信する。この値は、インタレースにわたってフィルタにかけられたサブバンドｓ上で基地局３０２によって観察された干渉の量に少なくとも部分的に基づいている。この値は、順方向干渉・オーバー・サーマルチャネル(forward interference over thermal channel)（Ｆ−ＩＯＴＣＨ）上で送信されることができる。
【００３９】
上記の説明された報告に加えて、基地局３０２は、アクティブである場合には、モバイルデバイス３０４のために、そして、基地局３０２によってサービス提供されるセクタにおけるすべてのアクティブなモバイルデバイスのために、受信された制御パイロットのキャリア・オーバー・サーマル(carrier-over-thermal)（ＣｏＴ）の電力スペクトル密度(power spectral density)（ＰＳＤ）についての量子化された情報をさらに送信することができる。この情報はＦ−ＰＱＩＣＨにわたって送信されることができる。この情報及び上記の説明された値は、デルタベース電力制御を行なうことにおいて、モバイルデバイス３０４によって利用されることができる。主題の開示の態様によると、モバイルデバイス３０４は、遅いデルタ値及び送信デルタ値を保持し調整する。
【００４０】
デルタ値は、コントロールパイロットのＰＳＤとトラヒックＰＳＤとの間のオフセットである。デルタ値は、制御パイロットキャリア・オーバー・サーマルＰＳＤ（ｐＣｏＴ: pilot carrier-over-thermal）と、トラヒック干渉・オーバー・サーマルＰＳＤ（ＩｏＴ: interference-over-thermal）と、を通じて受信されたＣ／Ｉ値（例、DataCtoI）に関連する。例えば、デルタ値は、下記の
Δ＝ＣｏＴｄａｔａ−ＣｏＴｃｏｎｔｒｏｌ
Δ＝ＣｏＩｄａｔａ＋ＩｏＴｄａｔａ−ＣｏＴｃｏｎｔｒｏｌ
にしたがって、データＣ／Ｉ値にマッピングされることができる。図に準じて、ＣｏＴdataは、データあるいはトラヒックチャネルのキャリア・オーバー・サーマル値(a carrier-over-thermal value of a data or traffic channel)である。値ＣｏＴｃｏｎｔｒｏｌは、基地局から受信されたパイロットチャネルＰＳＤ値（ｐＣｏＴ）のような制御チャネルのためのキャリア・オーバー・サーマル値である。したがって、デルタ値、Δは、制御とトラヒックＰＳＤ値との間の差異あるいはオフセットである。ＣｏＴｄａｔａは、データチャネルについてのＣ／Ｉ値、ＣｏＩｄａｔａと、データチャネルについての干渉・オーバー・サーマル値ＩｏＴｄａｔａと、の合計に等しい。ＣｏＩｄａｔａは、上記で説明されているように、基地局によってモバイルデバイスに対して割り当てられたＤａｔａＣｔｏＩ値であることができる。さらに、ＩｏＴｄａｔａは、基地局によって送信された干渉オフセット値であることができる。
【００４１】
モバイルデバイス３０４は、デルタ値範囲にしたがってデルタ値を維持し調整する。デルタ値の範囲は、ブロードキャストされた受信情報(broadcasted information received)あるいは、基地局３０２からの割り当てに含まれる情報(information included in the assignment from base station 302)に基づいて、モバイルデバイス３０４によって確立される。例えば、モバイルデバイス３０４は、最小の遅いデルタ値、Δｓｌｏｗ，ｍｉｎ、及び、最大の遅いデルタ値、Δｓｌｏｗ，ｍａｘを下記の
Δｓｌｏｗ，ｍｉｎ＝ＤａｔａＣｏＴｍｉｎ−ｐＣｏＴＲＬＳＳ
Δｓｌｏｗ，ｍａｘ＝ＤａｔａＣｏＴｍａｘ−ｐＣｏＴＲＬＳＳ
に基づいて、設定する。値ＤａｔａＣｏＴｍｉｎ及びＤａｔａＣｏＴｍaxは、それぞれ、最小及び最大であり、トラヒックチャネルについてのキャリア・オーバー・サーマルＰＳＤ値は、割り当ての一部として基地局３０２によって提供される。値ｐＣｏＴＲＬＳＳは、逆方向リンクサービングセクタのパイロットチャネルについてのキャリア・オーバー・サーマルＰＳＤ値である。したがって、モバイルデバイス３０４は、基地局３０２によって割り当てられた、あるいは、ブロードキャストされた、インジケーションに基づいて遅いデルタ値の範囲を設定する。
【００４２】
モバイルデバイス３０４は、遅いデルタ値、Δｓｌｏｗを保持し調整する、遅いデルタ評価器(slow delta evaluator)３１２を含む。遅いデルタ評価器３１２は、基地局３０２に類似している他のセクタ基地局によってブロードキャストされた通常のＯＳＩインジケーションに基づいて、遅いデルタ値を決定し、調整する。スーパーフレームごとに、遅いデルタ評価器３１２は、ＯＳＩモニターセットを生成する。ＯＳＩモニターセットは、モバイルデバイス３０４が獲得できるセクタの順方向リンクジオメトリに対してしきい値を適用することにより形成される。さらに、ＯＳＩモニターセットは、他のセクタのｃｈａｎｄｉｆｆ値に対し、しきい値を適用することによって形成されることができる。個別のモニターセットは、早いＯＳＩインジケーションをブロードキャストする他のセクタ基地局について生成されることができるということが理解されるべきである。早いＯＳＩモニターセットは、アクティブセットのモバイルデバイス３０４のメンバーに限定されることができる。モバイルデバイス３０４の逆方向リンクサービングセクタを備えているセクタは、ＯＳＩモニターセットに含まれていない。ＯＳＩモニターセットは、モバイルデバイス３０４によって引き起こされた干渉によって影響されうるセクタを含む。ＯＳＩモニターセットの各メンバーの場合は、遅いデルタ評価器３１２は、ｃｈａｎｄｉｆｆ値を計算する。ｃｈａｎｄｉｆｆ値は、モニターセットにおける各セクタの送信電力を考慮に入れながら、獲得パイロット上の受信電力に基づいている。遅いデルタ評価器３１２は、ＯＳＩモニターセットのメンバーからブロードキャストされる通常のＯＳＩ値に部分的に基づいて、遅いデルタ値を調整する。遅いデルタ評価器３１２は、モバイルデバイス３０４の現在の遅いデルタ値に加えて、計算された対応ｃｈａｎｄｉｆｆ値をさらに考慮する。遅いデルタ値は、値が最小値を下回らず、最大値を超えないという制約で調整される。モバイルデバイス３０４は、基地局３０２、逆方向リンクサービング基地局に対し、調整された遅いデルタ値を通信する。その通信された値は、基地局３０２によって今後の割り当てについての示唆された値として利用される。
【００４３】
モバイルデバイス３０４は、送信デルタ値Δｔｘを保持し調整する送信デルタ評価器３１４をさらに含む。送信デルタ評価器３１４は、基地局３０２に似た他のセクタ基地局によってブロードキャストされた早いＯＳＩインジケーションに基づいて、送信デルタ値を決定し、変更する(alters)。早いＯＳＩインジケーションがまたｄサブバンド(dsubband)ごとであるときに、その調整は、サブバンドあたり(per subband)であることができる。基地局３０２のスケジューラ３０６によって提供される明示的ＤａｔａＣｔｏＩａｓｓｉｇｎｅｄを用いたサブバンドｓ上の割り当ての後で、送信デルタ評価器３１４は、送信デルタ値の範囲を確立する。サブバンドｓ上で送信されるべき各パケット（あるいはサブパケット）ｐの場合、送信デルタ評価器３１４は、最小デルタ値Δｍｉｎ，ｐ、割り当てられたあるいは最大デルタ値Δｍａｘ，ｐを下記にしたがって確立する。
【数１】
0005714623.tif 000002
【００４４】
この例により、値InterferenceOffsetRLSS,Sは、逆方向リンクサービングセクタにおけるサブバンドｓについての干渉・オーバー・サーマルレベルのインジケーションである。この値は、基地局３０２によってブロードキャストされ、モバイルデバイス３０４によって受信される。値ｐＣｏＴＲＬＳＳは、モバイルデバイス３０４のための逆方向リンクサービングセクタにおけるパイロットＣｏＴ  ＰＳＤである。値ＤａｔａＣｔｏＩｍｉｎ，ｐは、パケットｐに対応している最小Ｃ／Ｉ値である。モバイルデバイス３０４は、基地局３０２におけるスケジューラ３０６からの割り当てにおいて値ＤａｔａＣｔｏＩａｓｓｉｇｎｅｄ，ｐを受信する。送信デルタ評価器３１４は、ＩｎｔｅｒｆｅｒｅｎｃｅＯｆｆｓｅｔ及びｐＣｏＴの最新の（すなわち、消去されていない）値を使用する。さらに、デフォルトセクタ特有干渉・オーバー・サーマル値は、干渉オフセットを伝達しているチャネルが多数の報告インターバルについて消去されている場合には、送信デルタ評価器３１４によって使用されることができる。
【００４５】
送信デルタ値Δｔｘについての範囲を確立した後で、送信デルタ評価器３１４は、近隣セクタによってブロードキャストされ、モバイルデバイス３０４によって受信された、早いＯＳＩインジケーション、に基づいて値を調整する。最初に、送信デルタ値は、上記で評価されているように、Δｍａｘに初期化される。初期化した後で、送信デルタ値は、ブロードキャストされた早いＯＳＩインジケーションの考察(consideration)に基づいて値をステップアップあるいはステップダウンすることによって調整される。インタレースｉ上の再伝送について、送信デルタ評価器３１４は、そのインタレース上の前の送信に対応する早いＯＳＩインジケーションに応じて、送信デルタ値を調整する。その調整は、下記の
【数２】
0005714623.tif 000003
【００４６】
にしたがって実現されることができる。例に準じて、値ｆａｓｔＯＳＩｉは、インタレースｉに対応して受信された早いＯＳＩインジケーションである。値ｆａｓｔＯＳＩＳｔｅｐＵｐ及びｆａｓｔＯＳＩＳｔｅｐＤｏｗｎは、それぞれ、送信デルタ値のステップアップサイズ及びステップダウンサイズである。調整は、送信デルタ値がΔｍａｘを超えず、Δｍｉｎを下回らないという制約で、送信デルタ評価器３１４によって行なわれる。いずれの明示的なＤａｔａＣｔｏＩａｓｓｉｇｎｅｄ値を含んでいない新しいパケットの場合、あるいは、新しい割り当ての場合、送信デルタ値は、Δｍａｘに初期化されない。むしろ、送信デルタ評価器３１４は、最新の送信デルタ値を使用し、上記で説明されているような同じ調整を実行する。
【００４７】
主題の開示の別の態様にしたがって、モバイルデバイス３０４は、各割り当てについて割り当てられた逆方向リンクデータチャネル（例、Ｒ−ＤＣＨ）の送信ＰＳＤを設定するＰＳＤレギュレータ３１６を含む。送信デルタ値及び早いＯＳＩインジケーションがサブバンドごとであるとき、サブバンドごとに送信ＰＳＤが設定されるということが理解されるべきである。データチャネルの送信ＰＳＤは、下記にしたがって確立される。
【００４８】
ＰＳＤＲ−ＤＣＨ＝ＰＳＲＲ−ＰＩＣＨ＋Δｔｘ＋ＡｔｔｅｍｐｔＢｏｏｓｔｊ
図に準じて、ｊは、サブパケットインデクスであり、ブースト値ＡｔｔｅｍｐｔＢｏｏｓｔｊは、基地局３０２によって割り当てられる。値ＰＳＤＲ−ＰＩＣＨは、逆方向リンクパイロットチャネルのＰＳＤである。結果として生じる伝送電力がトラフィックに利用可能な最大送信電力よりも大きい場合、ＰＳＤレギュレータ３１６は、合計の送信電力が最大伝送電力であるようにデータＰＳＤをスケーリングする。
【００４９】
さらに、主題の開示の別の態様にしたがって、モバイルデバイス３０４は、基地局３０２にフィードバックを提供する。モバイルデバイス３０４は、帯域外報告(out-of-band reports)と帯域内報告(in-band reports)を通信することができる。帯域外報告は、キャリア・オーバー・サーマル値あるいはｃｈａｎｄｉｆｆ値、に関する情報を含むことができる。例えば、モバイルデバイス３０４は、全帯域にわたって最大の達成可能な受信されたＣｏＴ値を通信することができる。ＣｏＴ値は、ＰＡヘッドルームのインジケーションであってもよい。この値は、順方向リンクのパイロット品質インジケータチャネル上で受信されたパイロットＣｏＴフィードバックを利用して計算されることができる。一例によれば、この値は、前の報告から実質的な変更の後でのみ送信される。さらに、モバイルデバイス３０４は、基地局３０２に対し、ｃｈａｎｄｉｆｆ値を報告することができる。報告されたＣｏＴ値に類似して、この値は、実質的な変更の後でのみ報告されることができる。
【００５０】
帯域内リクエストに加えて、モバイルデバイス３０４は、電力制御関連情報を報告することができる。例えば、モバイルデバイス３０４は、電力増幅ヘッドルーム値、遅いデルタ値、あるいは最新の調整された値に対応する送信デルタ値、を報告することができる。帯域外報告に類似して、これらの報告は、前の報告に関する重要な変更(significant change)後に送信されることができる。
【００５１】
図４−６を参照すると、ブロードキャストされた干渉情報に基づいた、逆方向リンク電力調整に関する方法がある。説明を簡潔にする目的のために、方法が、一連の動作として示され説明されているが、いくつかの動作は、１以上の実施形態にしたがって、ここに示され説明されるものと他の動作と異なる順序においておよび／または同時に生じうるので、方法は動作の順序によって限定されないということは理解され認識されるべきである。例えば、当業者は、例えば状態図において、１連の相互に関係づけられた状態あるいはイベントとして方法が代替的に表されることができるということを理解し認識するであろう。さらに、すべての図示された動作は、必ずしも、１つまたは複数の実施形態にしたがって、方法をインプリメントすることを要求されていなくてもよい。
【００５２】
図４に移ると、逆方向リンク送信電力制御を容易にする方法４００を図示する。主題の開示の態様にしたがって、方法４００は、基地局によって実行されることができる。方法４００は、とりわけ、電力制御決定に関連のあるパラメータで、モバイルデバイスを提供するために、利用されることができる。参照数字４０２では、電力制御パラメータは、割り当てに含まれている。割り当ては、例えば、周波数リソースの割り付け(an allocation of frequency resources)、あるいは、特定モバイルデバイスに対する逆方向リンクデータチャネルの指定(a designation of a reverse link data channel to a particular mobile device)、であってもよい。電力制御パラメータは、逆方向リンクデータチャネルの最小及び最大のキャリア・オーバー・サーマル値を含むことができる。さらに、電力制御パラメータは、モバイルデバイスが割り当てられる予定である特定のサブバンドに関する、割り当てられたあるいはターゲットＣ／Ｉ値を含むことができる。電力制御パラメータは、パラメータが更新を要求するときに半静的パラメータのみが割り当てられるので、各割り当てに含まれていなくてもよい。参照４０４で、モバイルデバイスに割り当てられている。割り当て決定は、モバイルデバイスから受信されたフィードバック情報に部分的に基づくことができる。フィードバック情報は、デルタ値（例えば、遅いデルタ値と送信デルタ値）、電力増幅器ヘッドルーム、バッファサイズ、ＱｏＳレベル、プロジェクトされた干渉に基づいた最大許可電力(maximum allowed power based upon projected interference)、及び／または、非常に早いＯＳＩアクティビティの報告(a report of excessive fast OSI activity)、を含むことができる。
【００５３】
参照数字４０６では、通常のＯＳＩインジケーションはブロードキャストされる。そのブロードキャストは、スーパーフレームごとに一度生じてもよいし、そのインジケーションは、スーパーフレームプリアンブルに含まれてもよい。通常のＯＳＩインジケーションは、前のスーパーフレーム（単数または複数）の間に観察された平均干渉である。この値は遅いデルタ値を決定することを容易にする。参照数字４０８で、早いＯＳＩインジケーションがブロードキャストされる。そのブロードキャストは、各逆方向リンクフレーム上で各サブバンドに対して生じうる。早いＯＳＩインジケーションは、特定の逆方向リンクフレーム上であるサブバンドにわたって観察される干渉を表わす。早いＯＳＩインジケーションは、送信デルタ値を決定することを容易にする。参照数字４１０で、干渉オフセット値はブロードキャストされる。干渉オフセット値は、各サブバンドに対してブロードキャストされる。その値は、インタレースにわたってフィルタにかけられた特定のサブバンド上で観察された干渉の量を表わす。例えば、干渉オフセット値は、サブバンドのＩｏＴレベルを表すことができる。
【００５４】
図５に移ると、無線通信における逆方向リンク電力制御を実行する方法５００が図示されている。方法５００は、とりわけ、今後の割り当ての決定のために基地局によって使用される遅いデルタ値を生成するために、モバイルデバイスによって利用されることができる。参照数字５０２で、遅いデルタ値の範囲が決定される。その範囲は、割り当てに含まれるパラメータに基づいていてもよい。例えば、範囲は、パイロットチャネルのＰＳＤに加えて、割り当てに含まれる最小及び最大のＣｏＴ値の考慮(consideration)に基づいて、計算されることができる。その範囲は、遅いデルタ値に対する調整が範囲内に抑制されるように、遅いデルタ値の最小及び最大値を定義する。これらの値はまた、最新(most current)のではなく、前の割り当てに含まれていてもよい。例えば、あるパラメータは、半静的であってもよく、周期的な更新のみを必要とする。参照数字５０４では、遅いデルタ値は、評価される、あるいは、調整される。その値は、モニターセットのメンバーからの通常のＯＳＩブロードキャストに基づいて評価される。さらに、現在の遅いデルタ値に加えて、モニターセットメンバーに対応するｃｈａｎｄｉｆｆ値が考察されることができる。参照数字５０６で、調整された遅いデルタ値が送信される。その値は、今後の割り当て決定において利用されるべきモバイルデバイスの逆方向リンクをサービス提供している基地局に対し通信されることができる。
【００５５】
図６を参照すると、逆方向リンク電力調整を実施する方法６００が図示されている。方法６００は、逆方向リンクトラヒックチャネルのＰＳＤを設定するために、無線通信システムにおいて、モバイルデバイスによって使用されることができる。参照数字６０２で、送信デルタ値の範囲が確立されている。その範囲は、割り当てに含まれる値に基づいていてもよい。さらに、その範囲は、パイロットチャネルのＣｏＴ値に加えて、干渉オフセット値の考察に基づいて決定されることができる。参照数字６０４で、送信デルタ値は、評価される、あるいは、調整される。その調整は、ブロードキャストされた早いＯＳＩインジケーションに基づいていてもよい。例えば、送信デルタ値は、最大値に初期化され、そのあとで、早いＯＳＩインジケーションによって、割り当てられたステップサイズにより、上あるいは下に調整されることができる。インジケーションなし(no indication)は送信デルタ値のステップアップを結果としてもたらすが、他のセクタにおける増大された干渉のインジケーションは、典型的には、送信デルタ値のステップダウンを結果としてもたらす。参照数字６０６で、逆方向リンクトラヒックチャネルの電力スペクトル密度が設定される。ＰＳＤは、送信デルタ値に基づいて確立される。例えば、主題の開示の態様にしたがって、トラヒックチャネルＰＳＤは、パイロットチャネルのＰＳＤと、送信デルタ値と、の合計に設定される。さらに、割り当てられたブースト値は、合計に含まれていてもよい。
【００５６】
ここにおいて説明される１つまたは複数の態様にしたがって、モバイルデバイスを割り当て、ＯＳＩモニターセットを生成し、ｃｈａｎｄｉｆｆ値を決定し、遅いデルタ値を評価する、等のことに関して、推論(inferences)がなされることができるということが理解されるであろう。ここにおいて使用されているように、用語「推論する(infer)」あるいは「推論(inference)」は、イベントおよび／またはデータを介してキャプチャされる(captured)ように１セットの観察(a set of observations)からの、システム、環境、および／またはユーザ、の状態の理由付けする、あるいは、推論するプロセスを一般に指す。推論は、例えば、特定のコンテキスト(context)あるいは動作(action)を識別するために利用されることができ、あるいは、状態に関する確率分布を生成することができる。推論は、蓋然性(probabilistic)であることができ、すなわち、データおよびイベント(events)の考察に基づいた、対象の状態に関する確率分布の計算である。推論はまた、１セットのイベントおよび／またはデータからより高いレベルのイベントを構成するために利用される技術を指すことができる。そのような推論は、イベントが時間近似性(close temporal proximity)において相関されていようがいまいが、また、イベントとデータが１つまたはいくつかのイベント及びデータソースから生じようが、１セットの観察されたイベント及び／または保存されたイベントのデータからの新しいイベントあるいは動作の構築を結果としてもたらす。
【００５７】
一例にしたがって、上記で提示された１以上の方法は、モバイルデバイスによって基地局に対し送信された遅いデルタ値の考察に基づいて、モバイルデバイスに関係している推論を行なうことを含むことができる。さらなる例によって、推論は、通常のＯＳＩインジケーション、ｃｈａｎｄｉｆｆ値、及び現在のデルタ値に基づいて、遅いデルタ値に対する調整を決定することに関して、行なわれることができる。前述の例が本質的に説明のためのものであり、また、行われることができる推論の数、あるいはそのような推論がここに説明されている様々な実施形態及び／または方法に関連して行なわれている方法を、制限するようには意図されていないということは理解されるであろう。
【００５８】
図７は、ブロードキャストされた干渉情報の考察に基づいて逆方向リンク電力を調整することを容易にするモバイルデバイス７００の図である。モバイルデバイス７００は、例えば受信アンテナ（示されていない）から信号を受信する受信機７０２を備え、そして、受信された信号に典型的な動作を実行し（例えば、フィルタにかけ、増幅し、ダウンコンバートする等）、サンプルを得るために条件づけられた信号をデジタル化する。受信機７０２は、例えば、ＭＭＳＥ受信機であることが出来、受信されたシンボルを復調し、チャネル推定のためにプロセッサ７０６に対しそれらを提供することができるデモジュレータ７０４を備えることができる。プロセッサ７０６は、受信機７０２によって受信された情報を分析すること及び／または送信機７１６による送信についての情報を生成することを専用とするプロセッサ、モバイルデバイス７００の１つまたは複数のコンポーネントを制御するプロセッサ、及び／または、受信機７０２によって受信された情報を分析し、送信機７１６による送信についての情報を生成し、モバイルデバイス７００の１つまたは複数のコンポーネントを制御するプロセッサ、であることができる。
【００５９】
モバイルデバイス７００は、プロセッサ７０６に操作的に結合される、且つ、送信されるべきデータと、受信されたデータと、利用可能なチャネルに関連する情報と、分析された信号及び／または干渉強度に関連づけられたデータと、割り当てチャネル、電力、レート、あるいは同様なものに関する情報と、そして、チャネルを推定しチャネルを介して通信するためのいずれの他の適切な情報と、を保存することができる、メモリ７０８をさらに備えることができる。メモリ７０８は、チャネル（例、パフォーマンスベース、キャパシティベース、等）を推定すること及び／または利用することに関連づけられた、プロトコル及び／またはアルゴリズムをさらに保存することができる。
【００６０】
ここにおいて説明されたデータ保存(例、メモリ７０８)は、揮発性メモリあるいは不揮発性メモリのいずれかであることができ、あるいは、揮発性及び不揮発性メモリの両方を含むことができるということは理解されるだろう。例として、限定ではないが、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能なＲＯＭ（ＥＥＰＲＯＭ）、あるいはフラッシュメモリ、を含むことができる。揮発性メモリは、ランダムアクセスメモリ（ＲＡＭ）を含むことができ、そしてそれは、外部キャッシュメモリとして作用する。例として、限定ではないが、ＲＡＭは、シンクロナスＲＡＭ(synchronous RAM)（ＳＲＡＭ）、動的ＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ ＳＤＲＡＭ）、エンハンスドＳＤＲＡＭ(enhanced SDRAM)（ＥＳＤＲＡＭ）、シンクリンクＤＲＡＭ(Synchlink DRAM)（ＳＬＤＲＡＭ）、及びダイレクトランバスＲＡＭ(direct Rambus RAM)（ＤＲＲＡＭ）、のようないくつかの形態において利用可能である。さらに、主題のシステム及び／または方法のメモリ７０８は、限定されることなく、これら及びいずれの他の適切なタイプのメモリを備えるように意図されている。
【００６１】
受信機７０２は、モバイルデバイス７００の遅いデルタ値を決定する遅いデルタ評価器７１０にさらに操作的に結合される。遅いデルタ評価器７１０は、基地局によってブロードキャストされ、受信機７０２によってモバイルデバイス７００において受信される通常のＯＳＩインジケーションの考察に基づいて遅いデルタ値を保持し、調整する。遅い評価器７１０は、モバイルデバイス７００が逆方向リンクサービングセクタのほかに獲得することができるセクタの順方向リンクジオメトリに、しきい値を適用することによって、ＯＳＩモニターセットを確立する。ｃｈａｎｄｉｆｆ値は、セットの各メンバー(each member of the set)について計算される。遅いデルタ値はＯＳＩモニターセット、ｃｈａｎｄｉｆｆ値、及び／または、通常のＯＳＩインジケーション、に基づいて、調整される。さらに、遅いデルタ値は逆方向リンクサービング基地局による今後の割り当てについての示唆された値を提供するために、モバイルデバイス７００によって送信されることができる。さらに、受信機７０２は、モバイルデバイス７００についての送信デルタ値を決定する送信デルタ評価器７１２に結合される。送信デルタ評価器７１２は、基地局によってブロードキャストされ、受信機７０２によってモバイルデバイス７００で受信される、早いＯＳＩインジケーションの考察に基づいて、送信デルタ値を保持し調整する。送信デルタ評価器７１２は、送信デルタ値を最大に初期化した後で、早いＯＳＩインジケーションに基づいて送信デルタ値をステップアップあるいはステップダウンする。モバイルデバイス７００は、フィードバックとしてサービング基地局に対して、調整された値を送信することができる。
【００６２】
モバイルデバイス７００は、モジュレータ７１４と、例えば基地局、別のモバイルデバイス等に対し信号（例えば、電力制限インジケータ）を送信する送信機７１６と、をさらに含む。ＰＳＤレギュレータ７１８は、プロセッサ７０６及び送信機７１６に結合される。ＰＳＤレギュレータは、パイロットチャネルのＰＳＤと送信デルタ評価器７１２によって保持され調整された送信デルタ値に部分的に基づいて、モバイルデバイス７００に割り当てられた逆方向リンクトラヒックチャネルの電力スペクトル密度を確立した。プロセッサ７０６と別なものとして図示されているけれども、遅いデルタ評価器７１０、送信デルタ評価器７１２、ＰＳＤレギュレータ７１８、及び／またはモジュレータ７１４は、プロセッサ７０６の一部、あるいは、多数のプロセッサ（示されていない）であってもよいということは理解されるべきである。
【００６３】
図８は、無線通信システムにおいてモバイルデバイスに対して電力制御関連情報を提供することを通じて逆方向リンク電力制御を容易にするシステム８００の図である。システム８００は、複数の受信アンテナ８０６を通じて１つまたは複数のモバイルデバイス９０４から信号（単数または複数）を受信する受信機８１０と、送信アンテナ８０８を通じて１つまたは複数のモバイルデバイス８０４に対し送信する送信機８２０と、を備える基地局８０２（例、アクセスポイント）を具備している。受信機８１０は受信アンテナ８０６から情報を受信することができ、そして、受信された情報を復調するデモジュレータ８１２に操作的に関連づけられている。復調されたシンボルは、図７に関し上記で説明されるプロセッサと同様であることができるプロセッサ８１４によって分析されており、そして、それは、復調されたシンボルは、図７に関し上記で説明されるプロセッサに類似であることができるプロセッサ８１４によって分析されており、そしてそれは、信号（例、パイロット）強度及び／または干渉強度を推定することに関する情報と、モバイルデバイス（単数または複数）８０４（あるいは異なる基地局（示されてはいない））に送信される、あるいは、から受信されるデータと、及び／または、ここにおいて記載されている様々な動作及び機能を実行することに関するいずれの他の適切な情報と、を保存するメモリ８１６に結合される。
【００６４】
プロセッサ８１４はさらに、逆方向リンクトラヒックチャネルにモバイルデバイス８０４を割り当てるスケジューラ８１８に結合される。スケジューラ８１８は、バッファサイズ、ＱｏＳレベル、及びフィードバック情報の考察に基づいて割り当て決定を行なう。フィードバック情報は、モバイルデバイス８０４から受信されたデルタ値（例えば、送信デルタ値、遅いデルタ値）を含むことができる。さらに、フィードバック情報は、非常に早いＯＳＩアクティビティのインジケーション及び電力増幅ヘッドルームを含むことができる。スケジューラ８１８は、割り当てにおいて、電力制御関連情報を含む。例えば、スケジューラ８１８はターゲットＣ／Ｉ値、最小及び最大のＣｏＴ値、ステップサイズなどを含むことができる。これらの前述のパラメータは基地局８０によって割り当てられているが、同じメカニズムを通じて、あるいは、同時に、パラメータは割り当てる必要がないということが理解されるべきである。例えば、ステップサイズ及び最小／最大ＣｏＴ値は、各パケットあるいは割り当てについて割り当てられる必要のない、半静的パラメータであってもよい。更新が必要なときにはいつでも、これらのパラメータは、上層メッセージあるいは同様なものを通じて更新されることができる。これらの値は電力制御決定においてモバイルデバイス８０４によって利用されることができる。
【００６５】
プロセッサ８１４は、ブロードブロードキャスタ８２０にさらに結合される。ブロードキャスタ８２０は、モバイルデバイス８０４に対し、情報をブロードキャストする。その情報は、モバイルデバイス８０４によって行なわれる電力制御決定に関連する。例えば、ブロードキャストされた情報は、スーパーフレームごとにブロードキャストされた通常のＯＳＩインジケーションを含むことができ、なお、通常のＯＳＩインジケーションは、前の１つまたは複数のスーパーフレームの間に(during the previous one or more superframes)観察された平均干渉を表す。ブロードキャスタ８２０は、各サブバンドに対応する早いＯＳＩインジケーションをさらにブロードキャストすることができる。これらのインジケーションは、サブバンド上で観察された干渉を表わす。さらに、ブロードキャスタ８２０は、インタレースにわたってフィルタにかけられた各サブバンド上で観察された干渉の量に基づいている干渉オフセット値をブロードキャストすることができる。モジュレータ８２２は、モバイルデバイス（単数または複数）８０４に対するアンテナ８０８を通じた送信機８２４による送信のために、制御情報を多重化することができる。モバイルデバイス８０４は、図７を参照して説明されるモバイルデバイス７００と類似であることができ、伝送パワーを調整するためにブロードキャストされた情報を利用する。主題の開示にしたがって他の機能が使用されることができるということが認識されるべきである。プロセッサ８１４と別なものとして図示されているが、スケジューラ８１８、ブロードキャスタ８２０及び／またはモジュレータ８２２は、プロセッサ８１４あるいは多数のプロセッサ（示されない）の一部であってもよいということが理解されるべきである。
【００６６】
図９は、例示的な無線通信システム９００を示す。無線通信システム９００は、簡略のために、１つの基地局９１０と１つのモバイルデバイス９５０とを図示する。しかしながら、システム９００が、１以上の基地局及び／または１以上のモバイルデバイスを含むことができるということは理解されるべきであり、なお、さらなる基地局及び／またはモバイルデバイスは、下記で説明される基地局９１０及びモバイルデバイス９５０の例と、実質的に類似あるいは異なっていてもよい。さらに、基地局９１０及び／またはモバイルデバイス９５０がそれらの間の無線通信を容易にするためにここにおいて説明されているシステム（図１−３、及び７−８）及び／または方法（図４−６）を利用することができるということは理解されるべきである。
【００６７】
基地局９１０では、多数のデータストリーム用のトラヒックデータは、データソース９１２から送信（ＴＸ）データプロセッサ９１４に提供される。一例にしたがって、各データストリームは、それぞれのアンテナにわたって送信されることができる。ＴＸデータプロセッサ９１４は、コード化されたデータを提供するためにそのデータストリームについて選択された特定のコード化スキームに基づいて、トラヒックデータストリームをフォーマット化し、コード化し、インタリーブする。
【００６８】
各データストリームのためにコード化されたデータは、直交周波数分割多重化（ＯＦＤＭ）技術を使用して、パイロットデータで多重化されることができる。追加的にあるいは代替的に、パイロットシンボルは、周波数分割多重化され（ＦＤＭ）、時分割多重化され（ＴＤＭ）、あるいは符号分割多重化される（ＣＤＭ）ことができる。パイロットデータは、典型的には、知られた方法において処理される既知のデータパターンであり、チャネル応答を推定するためにモバイルデバイス１０５０において使用されることが出来る。各データストリームについて多重化されたパイロット及びコード化されたデータは、変調シンボルを提供するためにそのデータストリームについて選択された特定の変調スキーム（例えば、バイナリ位相シフトキーイング（ＢＰＳＫ）、直角位相シフトキーイング(quadrature phase-shift keying)（ＱＰＳＫ）、Ｍ位相シフトキーイング(M-phase-shift keying)（Ｍ−ＰＳＫ）、Ｍ直角増幅変調(M-quadrature amplitude modulation)(Ｍ−ＱＡＭ)等）に基づいて変調される（例、シンボルマッピングされる）ことができる。各データストリームのデータレート、コード化、及び変調は、プロセッサ９３０によって実行されあるいは提供される命令によって決定されることができる。
【００６９】
データストリームについての変調シンボルは、ＴＸ ＭＩＭＯプロセッサ９２０に提供されることができ、そしてそれは、変調シンボル（例、ＯＦＤＭ用）をさらに処理することができる。ＴＸ ＭＩＭＯプロセッサ９２０は、そのあとで、ＮＴ送信機（ＴＭＴＲ）９２２ａ〜９２２ｔに対し、NT変調シンボルストリームを提供する。様々な実施形態においては、ＴＸ ＭＩＭＯプロセッサ９２０は、データストリームのシンボルに対して、及び、シンボルが送信されているアンテナに対して、ビームフォーミングの重み(beamforming weights)を適用する。
【００７０】
各送信機９２２は、１つまたは複数のアナログ信号を提供するために、それぞれのシンボルストリームを受信し、処理し、そして、ＭＩＭＯチャネルにわたる送信に適切な変調信号を提供するためにアナログ信号をさらに条件付ける（例、増幅し、フィルタにかけ、そしてアップコンバートする）。さらに、送信機９２２ａ〜９２２ｔからのNT変調信号は、それぞれ、NTアンテナ９２４ａ〜９２４ｔから、それぞれ、送信される。
【００７１】
モバイルデバイス９５０において、送信された変調信号は、NRアンテナ９５２ａ〜９５２ｒによって受信され、そして、各アンテナ９５２から受信された信号は、それぞれのトランシーバ（ＴＭＴＲ／ＲＣＶＲ）９５４ａ〜９５４ｒに対し提供される。各トランシーバ９５４は、それぞれの信号を条件づけ(例えば、フィルタにかけ、増幅し、そしてダウンコンバートし)、サンプルを提供するために条件づけられた信号をデジタル化し、そして、対応する「受信された」シンボルストリームを提供するためにサンプルをさらに処理する。
【００７２】
ＲＸデータプロセッサ９６０は、ＮＴ「検出された」シンボルストリームを提供するために、特定の受信機の処理技術に基づいて、ＮＲ受信機９５４からＮＲ受信されたシンボルストリームを受信し、処理することができる。ＲＸデータプロセッサ９６０は、データストリームのためのトラフィックデータを回復するためにそれぞれの検出されたシンボルストリームを復調し、デインタリーブし、そして復号することができる。ＲＸデータプロセッサ９６０による処理は、基地局９１０におけるＴＸ ＭＩＭＯプロセッサ９２０及びＴＸデータプロセッサ９１４によって実行されたものの補足である。
【００７３】
プロセッサ９７０は、上記で説明されているように、どのプレコーディングマトリクス (pre-coding matrix)を使用するかを周期的に(periodically)決定することができる。さらに、プロセッサ９７０は、マトリクスインデックス部分(matrix index portion)およびランク値部分(rank value portion)を備えている逆方向リンクメッセージを公式化する(formulate)ことができる。
【００７４】
逆方向リンクメッセージは、通信リンクおよび／または受信されたデータストリームに関する様々なタイプの情報を備えることができる。逆方向リンクメッセージは、ＴＸデータプロセッサ９３８によって処理され、そしてそれはまた、データソース９３６からある数のデータストリーム(a number of data streams)についてトラフィックデータを受信し、モジュレータ９８０によって変調され、トランシーバ９５４ａ〜９５４ｒによって条件づけされ、そして、基地局９１０に戻って送信されることができる。
【００７５】
基地局９１０において、モバイルデバイス９５０からの変調信号は、モバイルデバイス９５０によって送信される逆方向リンクメッセージを抽出するために、アンテナ９２４によって受信され、トランシーバ９２２によって条件づけられ、デモジュレータ９４０によって復調され、そして、ＲＸデータプロセッサ９４２によって処理される。さらに、プロセッサ９３０は、どのプレコーディングマトリクスをビームフォーミングの重みを決定するために使用するかを決定するために、抽出されたメッセージを処理することができる。
【００７６】
プロセッサ９３０及び９７０は、それぞれ、基地局９１０及びモバイルデバイス９５０においてオペレーションを指示する（例、制御し、調整し(coordinate)、管理する等）ことができる。それぞれのプロセッサ９３０および９７０は、プログラムコード及びデータを保存するメモリ９３２及び９７２に関連づけられることができる。プロセッサ９３０及び９７０はまた、それぞれ、アップリンクとダウンリンクについての周波数及びインパルスの応答推定値(frequency and impulse response estimates)を導出するために、計算を実行することができる。
【００７７】
ここにおいて説明されている実施形態はハードウェア、ソフトウェア、ファームウェア、ミドルウェア、マイクロコード、あるいはそれらの任意の組み合わせによってインプリメントされることができる、ということが理解されるべきである。ハードウェアのインプリメンテーションの場合、処理ユニットは、１つまたは複数の特定用途向け集積回路（ＡＳＩＣｓ）、デジタル信号プロセッサ（ＤＳＰｓ）、デジタル信号処理デバイス（ＤＳＰＤｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、ここに説明された機能を実行するように設計された他の電子ユニット、あるいはそれらの組み合わせ、の中でインプリメントされることができる。
【００７８】
実施形態が、ソフトウェア、ファームウェア、ミドルウェアあるいはマイクロコード、プログラムコードあるいはコードセグメント(code segment)においてインプリメントされるとき、それらは、ストレージコンポーネントのような機械可読媒体(machine-readable medium)において保存されることが出来る。コードセグメントは、プロシージャ、機能、サブプログラム、プログラム、ルーチン、サブルーチン、モジュール、ソフトウェアパッケージ、クラス、あるいは、いずれの、命令、データストラクチャ、あるいはプログラムステートメントの組み合わせ、を表すことが出来る。コードセグメントは、情報、データ、アーギュメント、パラメータ、あるいは、メモリコンテンツを受け渡すこと、および／または受信することによって、別のコードセグメントあるいはハードウェア回路に結合されることが出来る。情報、アーギュメント、パラメータ、データなどは、メモリの共有、メッセージパッシング(message passing)、トークンパッシング(token passing)、ネットワーク伝送、などを含んでいる任意の適切な手段を使用して、受け渡され、転送され、あるいは送信されることが出来る。
【００７９】
ソフトウェアのインプリメンテーションの場合、ここにおいて説明された技術は、ここに説明された機能を実行するモジュール（例、プロシージャ、機能、など）でインプリメントされることが出来る。ソフトウェアコードは、メモリユニットに記憶され、プロセッサによって実行されることが出来る。メモリユニットは、プロセッサ内で、あるいはプロセッサの外部で、インプリメントされることができ、その場合には、それは、当技術分野において知られているさまざまな様々な手段を介してプロセッサに通信的に結合されることが出来る。
【００８０】
図１０を参照すると、複数のモバイルデバイスに対しブロードキャストされるべき干渉インジケーションを生成することを容易にするシステム１００が図示されている。例えば、システム１０００は、基地局内で、少なくとも部分的に存在することができる。システム１０００は、機能ブロックを含んでいるものとして、表されていると理解されるべきであり、そしてそれは、プロセッサ、ソフトウェア、あるいはそれらの組み合わせ（例、ファームウェア）によってインプリメントされる機能を表わす機能ブロック図であることができる。システム１０００は、一緒に作用することができる電子コンポーネントの論理グルーピング１００２を含む。例えば、論理グルーピング１００２は、割り当てにおいて電力制御情報を提供するための電子コンポーネント１００４を含むことができる。例えば、最小及び最大ＣｏＴ値は、デルタ値ベース電力制御の範囲を設定することを可能にするように、割り当てに含まれることができる。これらの前述のパラメータが基地局８０によって割り当てられているが、同じメカニズムを通じて、あるいは、同時に、パラメータは割り当てられる必要がないということが理解されるべきである。例えば、ステップサイズ及び最小／最大ＣｏＴ値は、各パケットあるいは割り当てについて割り当てられる必要のない、半静的なパラメータであってもよい。更新が必要なときにはいつでも、これらのパラメータは、上層メッセージあるいは同様なものを通じて更新されることができる。さらに、論理グルーピング１００２は、干渉オフセット値をブロードキャストするための電子コンポーネント１００６を備えることができる。例えば、干渉オフセット値は、各サブバンドに対してブロードキャストされることができ、サブバンドについて観察されたＩｏＴレベルを表すことができる。さらに、論理グルーピング１００２は、他のセクタ干渉インジケーションをブロードキャストするための電子コンポーネント１００８を含むことができる。一例にしたがって、他のセクタ干渉インジケーションは、遅いデルタ値評価を可能にする通常のＯＳＩインジケーションを含むことができる。遅いデルタ値は、モバイルデバイス割り当てについての示唆された値として使用されることができる。さらに、ＯＳＩインジケーションは、サブバンド上の送信のために干渉のインジケーションを提供する早いＯＳＩインジケーションを含むことができる。早いＯＳＩインジケーションは、送信デルタ値を調整することを可能にする。さらに、システム１０００は、電子コンポーネント１００４、１００６及び１００８に関連づけられた、機能を実行するための命令を保持するメモリ１０１０を含むことができる。メモリ１０１０の外側にあるものとして示されているが、電子コンポーネント１００４、１００６及び１００８のうちの１つまたは複数は、メモリ１０１０内に存在することができるということは理解されるべきである。
【００８１】
図１１に戻ると、逆方向リンク上で電力を調整するシステム１１００を図示する。システム１１００は、例えば、モバイルデバイス内に存在してもよい。図示されているように、システム１１００は、プロセッサ、ソフトウェア、あるいはそれらの組み合わせ（例、ファームウェア）によってインプリメントされる機能を表すことが出来る機能ブロック図を含む。システム１１００は、順方向リンク送信を制御することを容易にする電子コンポーネントの論理グループ１１０２を含む。論理グルーピング１１０２は、デルタ値範囲を確立するための電子コンポーネント１１０４を含むことができる。例えば、遅いデルタ値範囲、あるいは送信デルタ値範囲は、割り当てにおける電力制御情報、及び／または、サービング基地局によってブロードキャストされた干渉オフセット値、の考察に基づいて設定されることができる。さらに、論理グルーピング１１０２は、デルタ値に対する調整を評価するための電子コンポーネント１１０６を含むことができる。例えば、遅いデルタ値はブロードキャストされた通常のＯＳＩインジケーションの考察に基づいて調整されることができる。さらに、送信デルタ値は、早いＯＳＩインジケーションに部分的に基づいて調整されることができる。さらに、論理グルーピング１１０２は、電力スペクトル密度を設定するための電子コンポーネント１１０８を備えることができる。例えば、送信デルタ値に対する調整を評価した後で、逆方向リンクトラヒックチャネルのＰＳＤは、とりわけ、新しいデルタ値に基づいて、設定されることができる。さらに、システム１１００は、電子コンポーネント１１０４、１１０６、及び１１０８に関連づけられた、機能を実行するための命令を保持するメモリ１１１０を含むことができる。メモリ１１１０の外側にあるものとして示されているが、電子コンポーネント１１０４、１１０６及び１１０８は、メモリ１１１０内に存在することができるということは理解されるべきである。
【００８２】
上記で説明されてきたものは、１つ以上の実施形態の例を含む。前述の実施形態を説明する目的のためにすべての考えられるだけのコンポーネントあるいは方法の組み合わせを記述することは、勿論、可能ではないが、当業者は、さまざまな実施形態の多くのさらなる組み合わせと並び替えが可能であるということを理解することが出来る。したがって、記載された実施形態は、添付された特許請求の範囲の精神および範囲の中に入る、すべてのそのような代替(alterations)、修正、および変形を含まれるように意図されている。さらに、用語「含む(includes)」が、詳細な説明あるいは特許請求の範囲のいずれかにおいて使用されている範囲内において、そのような用語は、用語「備えている(comprising)」がトランジショナルワード(transitional word)として請求項において使用されるときに解釈されるように、用語「備えている(comprising)」と同様な方法で包括的であるように意図されている。
以下に本願発明の当初の特許請求の範囲に記載された発明を付記する。
［Ｃ１］
逆方向リンクトラフィックチャネル電力制御を容易にする方法であって、
割り当てにおいて電力制御情報を提供することと、
調整範囲を確立するために使用される各サブバンドに対して干渉オフセット値をブロードキャストすることと、
電力制御値を調整するために利用される他のセクタ干渉（ＯＳＩ）インジケーションをブロードキャストすることと、
を備えている、方法。
［Ｃ２］
電力制御情報を含む前記割り当てを、逆方向リンクトラヒックチャネル上でモバイルデバイスに与えること、をさらに備えているＣ１に記載の方法。
［Ｃ３］
前記制御情報は、最小キャリア・オーバー・サーマル(ＣｏＴ)値、最大ＣｏＴ値、ターゲットキャリア対干渉（Ｃ／Ｉ）値、あるいは、電力調整ステップサイズ、のうちの少なくとも１つを含む、Ｃ１に記載の方法。
［Ｃ４］
前記ＯＳＩインジケーションは、遅いデルタ値の調整のために使用される通常のＯＳＩインジケーションである、Ｃ１に記載の方法。
［Ｃ５］
前記インジケーションをブロードキャストすることは、スーパーフレームごとに、前記通常のＯＳＩインジケーションをブロードキャストすることを備えている、Ｃ４に記載の方法。
［Ｃ６］
前記ＯＳＩインジケーションは、送信デルタ値を調整するために利用される早いＯＳＩインジケーションである、Ｃ１に記載の方法。
［Ｃ７］
前記インジケーションをブロードキャストすることは、各逆方向リンクフレーム上で各サブバンドに対して前記早いＯＳＩインジケーションをブロードキャストすることを備えている、Ｃ６に記載の方法。
［Ｃ８］
前記干渉オフセットは、サブバンドあたりの干渉・オーバー・サーマル（ＩｏＴ）レベルのインジケーションである、Ｃ１に記載の方法。
［Ｃ９］
無線通信装置であって、
各サブバンドに対して干渉オフセット値をブロードキャストし、通常の他のセクタ干渉（ＯＳＩ）パラメータをブロードキャストし、早いパラメータをブロードキャストすることに関する命令を保持するメモリと、
前記メモリに結合され、前記メモリにおいて保持される前記命令を実行するように構成された、プロセッサと、
を備えている無線通信装置。
［Ｃ１０］
通常のＯＳＩパラメータをブロードキャストすることは、スーパーフレームプリアンブルごとにおいて、前記パラメータを含むことを備えている、Ｃ９に記載の無線通信装置。
［Ｃ１１］
前記早いＯＳＩパラメータをブロードキャストすることは、各サブバンドに対して前記パラメータをブロードキャストすることを備えている、Ｃ９に記載の無線通信装置。
［Ｃ１２］
デルタベース電力制御を容易にする無線通信装置であって、
モバイルデバイスの割り当てにおいて電力制御情報を提供するための手段と、
各サブバンドに対して、干渉オフセット値をブロードキャストするための手段と、
デルタベース電力制御を可能にする他のセクタ干渉（ＯＳＩ）インジケーションをブロードキャストするための手段と、
を備えている、無線通信装置。
［Ｃ１３］
電力制御情報を含む前記割り当てを、逆方向リンクトラヒックチャネル上でモバイルデバイスに割り当てるための手段、をさらに備えているＣ１２に記載の無線通信装置。
［Ｃ１４］
前記制御情報は、最小キャリア・オーバー・サーマル（ＣｏＴ）値、最大ＣｏＴ値、ターゲットキャリア対干渉（Ｃ／Ｉ）値、あるいは、電力調整ステップサイズ、のうちの少なくとも１つを含む、Ｃ１２に記載の無線通信装置。
［Ｃ１５］
前記ＯＳＩインジケーションは、遅いデルタ値の調整のために使用される通常のＯＳＩインジケーションである、Ｃ１２に記載の無線通信装置。
［Ｃ１６］
前記インジケーションをブロードキャストすることは、スーパーフレームごとに、前記通常のＯＳＩインジケーションをブロードキャストすることを備えている、Ｃ１５に記載の無線通信装置。
［Ｃ１７］
前記ＯＳＩインジケーションは、送信デルタ値を調整するために利用される早いＯＳＩインジケーションである、Ｃ１２に記載の無線通信装置。
［Ｃ１８］
前記インジケーションをブロードキャストすることは、各サブバンドに対して前記早いＯＳＩインジケーションをブロードキャストすることを備えている、Ｃ１７に記載の無線通信装置。
［Ｃ１９］
前記干渉オフセットは、サブバンドあたりの干渉・オーバー・サーマル（ＩｏＴ）レベルのインジケーションである、Ｃ１２に記載の無線通信装置。
［Ｃ２０］
機械可読媒体であって、
割り当てにおいて電力制御情報を提供し、
調整範囲を確立するために使用される各サブバンドに対して、干渉オフセット値をブロードキャストし、
電力制御値を調整するために利用される他のセクタ干渉（ＯＳＩ）インジケーションをブロードキャストする、
ための機械実行可能な命令を保存している、
機械可読媒体。
［Ｃ２１］
電力制御情報を含む前記割り当てを、逆方向リンクトラヒックチャネル上でモバイルデバイスに割り当てるための命令、をさらに備えているＣ２０に記載の機械可読媒体。
［Ｃ２２］
前記制御情報は、最小キャリア・オーバー・サーマル（ＣｏＴ）値、最大ＣｏＴ値、ターゲットキャリア対干渉（Ｃ／Ｉ）値、あるいは、電力調整ステップサイズ、のうちの少なくとも１つを含む、Ｃ２０に記載の機械可読媒体。
［Ｃ２３］
前記ＯＳＩインジケーションは、遅いデルタ値の調整のために使用される通常のＯＳＩインジケーションである、Ｃ２０に記載の機械可読媒体。
［Ｃ２４］
前記インジケーションをブロードキャストすることは、スーパーフレームごとに、前記通常のＯＳＩインジケーションをブロードキャストすることを備えている、Ｃ２３に記載の機械可読媒体。
［Ｃ２５］
前記ＯＳＩインジケーションは、送信デルタ値を調整するために利用される早いＯＳＩインジケーションである、Ｃ２０に記載の機械可読媒体。
［Ｃ２６］
前記インジケーションをブロードキャストすることは、各逆方向リンクフレーム上で各サブバンドに対して前記早いＯＳＩインジケーションをブロードキャストすることを備えている、Ｃ２５に記載の機械可読媒体。
［Ｃ２７］
前記干渉オフセットは、サブバンドあたりの干渉・オーバー・サーマル（ＩｏＴ）レベルのインジケーションである、Ｃ２０に記載の機械可読媒体。
［Ｃ２８］
無線通信システムにおいて、装置は、
モバイルデバイスに対し逆方向リンクトラヒックチャネルを割り当て、
前記割り当てにおいて電力制御関連情報を提供し、
デルタベース電力制御を容易にするために少なくとも１つのモバイルデバイスに対し、通常で早い他のセクタ干渉（ＯＳＩ）インジケーションをブロードキャストする、
ように構成された集積回路、
を備えている、
装置。
［Ｃ２９］
デルタベース電力制御を実施する方法であって、
割り当てに含まれる電力制御関連情報に部分的に基づいて、デルタ値の許可範囲を確立することと、
ブロードキャストされた他のセクタ干渉（ＯＳＩ）インジケーションに部分的に基づいて、前記デルタ値に対する調整を評価することと、
前記デルタ値にしたがって逆方向リンクトラヒックチャネルに対応する電力スペクトル密度を設定することと、
を備えている方法。
［Ｃ３０］
サービング基地局に対しフィードバックを送信すること、をさらに備えているＣ２９に記載の方法。
［Ｃ３１］
前記フィードバックは、バッファサイズ、サービスの質（ＱｏＳ）レベル、最大許可電力、電力ヘッドルーム、あるいは前記デルタ値、のうちの少なくとも１つを備えている、Ｃ３０に記載の方法。
［Ｃ３２］
前記電力制御関連情報は、最小キャリア・オーバー・サーマル（ＣｏＴ）値、最大ＣｏＴ値、ターゲットキャリア対干渉（Ｃ／Ｉ）値、あるいは、電力調整ステップサイズ、のうちの少なくとも１つを含む、Ｃ２９に記載の方法。
［Ｃ３３］
前記デルタ値は遅いデルタ値であり、前記ＯＳＩインジケーションは通常のＯＳＩインジケーションである、Ｃ２９に記載の方法。
［Ｃ３４］
前記通常ＯＳＩインジケーションにしたがって、スーパーフレームごとに、前記遅いデルタ値を保持し調整すること、をさらに備えているＣ３３に記載の方法。
［Ｃ３５］
保持し調整することは、獲得されることができるセクタを含むＯＳＩモニターセットを生成することをさらに備えている、Ｃ３４に記載の方法。
［Ｃ３６］
前記ＯＳＩモニターセットを生成することは、前記セクタの順方向リンクジオメトリに、しきい値を適用することを備えている、Ｃ３５に記載の方法。
［Ｃ３７］
前記デルタ値は送信デルタ値であり、前記ＯＳＩインジケーションは早いＯＳＩインジケーションである、Ｃ２９に記載の方法。
［Ｃ３８］
範囲を前記許可範囲に確立することは、サービング基地局によってブロードキャストされた干渉オフセットにさらに基づいている、Ｃ３７に記載の方法。
［Ｃ３９］
前記送信デルタ値を保持し、調整することは、割り当てごとについて最大値に前記送信デルタ値を初期化することを備える、をさらに備えているＣ３７に記載の方法。（おかしい）
［Ｃ４０］
すべての早いインジケーションが干渉を特定しないとき、前記送信デルタ値をステップアップすること、をさらに備えている、Ｃ３７に記載の方法。
［Ｃ４１］
いずれの早いＯＳＩインジケーションが干渉を特定するとき、前記送信デルタ値をステップダウンすること、さらに備えている、Ｃ３７に記載の方法。
［Ｃ４２］
無線通信装置であって、
割り当てに含まれる電力制御関連情報に部分的に基づいて、デルタ値の許可範囲を確立することと、ブロードキャストされた他のセクタ干渉（ＯＳＩ）インジケーションに部分的に基づいて前記デルタ値に対する調整を評価することと、前記デルタ値にしたがって逆方向リンクトラヒックチャネルに対応する電力スペクトル密度を設定することと、に関する命令を保持するメモリと、
前記メモリに結合され、前記メモリに含まれる前記命令を実行するように構成された、集積回路と、
を備えている無線通信装置。
［Ｃ４３］
デルタベース電力制御を実施する無線通信装置であって、
割り当てに含まれる電力制御関連情報に部分的に基づいて、デルタ値の許可範囲を確立するための手段と、
ブロードキャストされた他のセクタ干渉（ＯＳＩ）インジケーションに部分的に基づいて、前記デルタ値に対する調整を評価するための手段と、
前記デルタ値にしたがって逆方向リンクトラヒックチャネルに対応する電力スペクトル密度を設定するための手段と、
を備えている無線通信装置。
［Ｃ４４］
サービング基地局に対しフィードバックを送信するための手段、をさらに備えているＣ４３に記載の無線通信装置。
［Ｃ４５］
前記フィードバックは、バッファサイズ、サービスの質（ＱｏＳ）レベル、最大許可電力、電力ヘッドルーム、あるいは前記デルタ値、のうちの少なくとも１つを備えている、Ｃ４４に記載の無線通信装置。
［Ｃ４６］
前記電力制御関連情報は、最小キャリア・オーバー・サーマル（ＣｏＴ）値、最大ＣｏＴ値、ターゲットキャリア対干渉（Ｃ／Ｉ）値、あるいは、電力調整ステップサイズ、のうちの少なくとも１つを含む、Ｃ４３に記載の無線通信装置。
［Ｃ４７］
前記デルタ値は遅いデルタ値であり、前記ＯＳＩインジケーションは通常のＯＳＩインジケーションである、Ｃ４３に記載の無線通信装置。
［Ｃ４８］
前記通常ＯＳＩインジケーションにしたがって、スーパーフレームごとに、前記遅いデルタ値を保持し調整するための手段、をさらに備えているＣ４７に記載の無線通信装置。
［Ｃ４９］
保持し調整するための手段は、獲得されることができるセクタを含むＯＳＩモニターセットを生成するための手段をさらに備えている、Ｃ４８に記載の無線通信装置。
［Ｃ５０］
通常ＯＳＩインジケーションのための第１のＯＳＩモニターセットと早いＯＳＩインジケーションのための第２のＯＳＩモニターセットとを生成すること、をさらに備えているＣ４９に記載の無線通信装置。
［Ｃ５１］
前記第２のＯＳＩモニターセットは、アクティブセットのメンバーに限定されている、Ｃ５０に記載の無線通信装置。
［Ｃ５２］
前記ＯＳＩモニターセットを生成するための手段は、前記セクタの順方向リンクジオメトリに、しきい値を適用することを備えている、Ｃ４９に記載の無線通信装置。
［Ｃ５３］
前記ＯＳＩモニターセットを生成するための手段は、前記セクタのｃｈａｎｄｉｆｆ値に、しきい値を適用することを備えている、Ｃ４９に記載の無線通信装置。
［Ｃ５４］
前記デルタ値は送信デルタ値であり、前記ＯＳＩインジケーションは早いＯＳＩインジケーションである、Ｃ４３に記載の無線通信装置。
［Ｃ５５］
範囲を前記許可範囲に確立するための手段は、サービング基地局によってブロードキャストされた干渉オフセットにさらに基づいている、Ｃ５４に記載の無線通信装置。
［Ｃ５６］
前記送信デルタ値を保持し、調整することは、割り当てごとについて最大値に前記送信デルタ値を初期化することを備える、をさらに備えているＣ５４に記載の無線通信装置。
［Ｃ５７］
すべての早いインジケーションが干渉を特定しないとき、前記送信デルタ値をステップアップするための手段、をさらに備えている、Ｃ５４に記載の無線通信装置。
［Ｃ５８］
いずれの早いＯＳＩインジケーションが干渉を特定するとき、前記送信デルタ値をステップダウンするための手段、をさらに備えている、Ｃ５４に記載の無線通信装置。
［Ｃ５９］
機械可読媒体であって、
割り当てに含まれる電力制御関連情報に部分的に基づいて、デルタ値の許可範囲を確立し、
ブロードキャストされた他のセクタ干渉（ＯＳＩ）インジケーションに部分的に基づいて、前記デルタ値に対する調整を評価し、
前記デルタ値にしたがって、逆方向リンクトラヒックチャネルに対応する電力スペクトル密度を設定する、
ための機械実行可能命令を保存している、
機械可読媒体。
［Ｃ６０］
サービング基地局に対しフィードバックを送信するための命令、をさらに備えているＣ５９に記載の機械可読媒体。
［Ｃ６１］
前記フィードバックは、バッファサイズ、サービスの質（ＱｏＳ）レベル、最大許可電力、電力ヘッドルーム、あるいは前記デルタ値、のうちの少なくとも１つを備えている、Ｃ５９に記載の機械可読媒体。
［Ｃ６２］
前記電力制御関連情報は、最小キャリア・オーバー・サーマル（ＣｏＴ）値、最大ＣｏＴ値、ターゲットキャリア対干渉（Ｃ／Ｉ）値、あるいは、電力調整ステップサイズ、のうちの少なくとも１つを含む、Ｃ５９に記載の機械可読媒体。
［Ｃ６３］
前記デルタ値は、遅いデルタ値であり、前記ＯＳＩインジケーションは通常のＯＳＩインジケーションである、Ｃ５９に記載の機械可読媒体。
［Ｃ６４］
前記通常ＯＳＩインジケーションにしたがって、スーパーフレームごとに、前記遅いデルタ値を保持し調整するための命令、をさらに備えているＣ６３に記載の機械可読媒体。
［Ｃ６５］
保持し調整することは、獲得されることができるセクタを含むＯＳＩモニターセットを生成することをさらに備えている、Ｃ６４に記載の機械可読媒体。
［Ｃ６６］
通常ＯＳＩインジケーションのための第１のＯＳＩモニターセットと早いＯＳＩインジケーションのための第２のＯＳＩモニターセットとを生成すること、をさらに備えている、Ｃ６５に記載の機械可読媒体。
［Ｃ６７］
前記第２のＯＳＩモニターセットは、アクティブセットのメンバーに制限されている、Ｃ６６に記載の機械可読媒体。
［Ｃ６８］
前記ＯＳＩモニターセットを生成することは、前記セクタの順方向リンクジオメトリに、しきい値を適用することを備えている、Ｃ６５に記載の機械可読媒体。
［Ｃ６９］
前記ＯＳＩモニターセットを生成することは、前記セクタのｃｈａｎｄｉｆｆ値に、しきい値を適用することを備えている、Ｃ６５に記載の機械可読媒体。
［Ｃ７０］
前記デルタ値は送信デルタ値であり、前記ＯＳＩインジケーションは早いＯＳＩインジケーションである、Ｃ５９に記載の機械可読媒体。
［Ｃ７１］
範囲を前記許可範囲に確立することは、サービング基地局によってブロードキャストされた干渉オフセットにさらに基づいている、Ｃ７０に記載の機械可読媒体。
［Ｃ７２］
前記送信デルタ値を保持し、調整することは、割り当てごとについて最大値に前記送信デルタ値を初期化することを備える、をさらに備えているＣ７０に記載の機械可読媒体。
［Ｃ７３］
すべての早いインジケーションが干渉を特定しないとき、前記送信デルタ値をステップアップすること、をさらに備えている、Ｃ７０に記載の機械可読媒体。
［Ｃ７４］
いずれの早いＯＳＩインジケーションが干渉を特定するとき、前記送信デルタ値をステップダウンすること、をさらに備えているＣ７０に記載の機械可読媒体。
［Ｃ７５］
無線通信システムにおいて、装置は、
割り当てに含まれる電力制御関連情報に部分的に基づいて、デルタ値の許可範囲を確立し、
ブロードキャストされた他のセクタ干渉（ＯＳＩ）インジケーションに部分的に基づいて、前記デルタ値に対する調整を決定し、
前記デルタ値にしたがって逆方向リンクトラヒックチャネルに対応する電力スペクトル密度を設定する、
ように構成された集積回路、
を備えている、
装置。
【図１】
0005714623.tif 000004
【図２】
0005714623.tif 000005
【図３】
0005714623.tif 000006
【図４】
0005714623.tif 000007
【図５】
0005714623.tif 000008
【図６】
0005714623.tif 000009
【図７】
0005714623.tif 000010
【図８】
0005714623.tif 000011
【図９】
0005714623.tif 000012
【図１０】
0005714623.tif 000013
【図１１】
0005714623.tif 000014